(57)【要約】【課題】テコの原理を利用してヘッド部を押し込む（典型的には押し下げる）ことができ、且つ、ヘッド部を直に押し下げるタイプの液剤吐出容器に近い操作感を実現することが可能な構造の液剤吐出容器を提供する。【解決手段】液剤吐出容器１００は、容器本体１０に装着される装着部５２と、装着部５２に対して揺動可能に軸支されているとともに押し込み力を受ける力点部１６１を有する揺動部１６０と、押し込まれる際に力点部１６１を押し込む押込部を有する操作部２０と、力点部１６１が押し込まれる際に揺動部１６０からヘッド部３０に押し込み力を伝達する作用部と、操作部２０が押し込まれる際に操作部２０の姿勢を維持させつつヘッド部３０に対する操作部２０の相対移動をガイドするガイド機構と、を備え、液剤吐出容器１００を装着部５２に対するヘッド部３０の押し込み方向に視たときに、ヘッド部３０の少なくとも一部分が操作部２０によって覆われる。【選択図】図１
2017202877.tif 000002
【特許請求の範囲】
【請求項１】
液剤を貯留する容器本体を備える液剤吐出容器であって、
前記容器本体に装着される装着部と、
前記装着部に対して一方向及び前記一方向に対する反対方向に移動可能に前記装着部に保持され、前記装着部に対して相対的に前記一方向に押し込まれることにより前記液剤が通過するヘッド部と、
前記ヘッド部を通過した前記液剤を吐出する吐出口と、
前記一方向の成分を持つ方向及びその反対方向に前記装着部に対して相対的に揺動可能に軸支部において軸支されているとともに、押し込み力を受ける力点部を有する揺動部と、
ユーザーの操作により前記装着部に対して相対的に押し込まれる操作部であって、押し込まれる際に前記力点部を押し込む押込部を有する操作部と、
前記力点部と前記軸支部との間に位置する作用部であって、前記力点部が押し込まれることにより前記揺動部が前記一方向の成分を持つ方向に揺動する際に、前記揺動部から前記ヘッド部に対して押し込み力を伝達する作用部と、
前記操作部が押し込まれる際に、前記操作部の姿勢を維持させつつ前記ヘッド部に対する前記操作部の相対移動をガイドするガイド機構と、
を備え、
当該液剤吐出容器を前記一方向に視たときに、前記ヘッド部の少なくとも一部分が前記操作部によって覆われる液剤吐出容器。
【請求項２】
前記ガイド機構は、前記操作部を前記ヘッド部に対して相対的に前記一方向及び前記一方向に対する反対方向にガイドする請求項１に記載の液剤吐出容器。
【請求項３】
前記操作部の押し込み方向と、前記ガイド機構による前記操作部のガイド方向と、が互いに同方向であり、
前記ガイド機構は、前記ヘッド部が有するガイド部と、前記ガイド部にガイドされる被ガイド部であって前記操作部が有する被ガイド部と、を含み、
前記ガイド部は、前記被ガイド部において前記一方向において互いに離間する少なくとも２つの部位を前記一方向及び前記一方向に対する反対方向にガイドする請求項２に記載の液剤吐出容器。
【請求項４】
前記押込部と前記力点部とは、前記軸支部の軸方向に対する交差方向であって且つ前記一方向に対しても交差する方向成分を持つ方向において相対移動可能な状態で、相互に係合している請求項３に記載の液剤吐出容器。
【請求項５】
前記操作部は、当該液剤吐出容器を前記軸支部の軸方向に視たときに前記力点部を覆う力点覆い部を有している請求項１から４のいずれか一項に記載の液剤吐出容器。
【請求項６】
前記揺動部が前記操作部に対して相対的に揺動可能に、前記力点部が前記押込部に軸支されており、
前記ガイド機構は、前記操作部を弧状の経路でガイドする請求項１に記載の液剤吐出容器。
【請求項７】
前記操作部は、
前記ヘッド部を基準として前記一方向に対する反対方向の位置に配置されていて押し込み操作を受ける操作受部と、
当該液剤吐出容器を前記軸支部の軸方向に視たときに前記操作受部における前記ヘッド部側の面と前記ヘッド部における前記操作受部側の面との間隙を覆う間隙覆い部と、
を有している請求項１から６のいずれか一項に記載の液剤吐出容器。
【請求項８】
前記装着部に対して着脱可能に装着される第２装着部を備え、
前記揺動部は、前記第２装着部に対して前記軸支部において軸支されている請求項１から７のいずれか一項に記載の液剤吐出容器。
【請求項９】
前記装着部は、軸心が前記一方向に延在する装着筒状部を有し、
前記第２装着部は、前記装着筒状部の周方向に移動可能に前記装着筒状部に装着され、
前記第２装着部が前記装着筒状部の周方向に移動するのに伴い、前記揺動部、前記ヘッド部、前記吐出口及び前記操作部が一体となって前記装着筒状部の軸周りに回転する請求項８に記載の液剤吐出容器。
【請求項１０】
前記一方向は下方向であり、
前記第２装着部は、前記装着筒状部の外周面に形成された溝に対して嵌合することによって、前記装着筒状部に対して着脱可能に装着されている請求項９に記載の液剤吐出容器。
【請求項１１】
前記装着筒状部の前記溝の底面は、前記装着筒状部の径方向外方に向けて下り傾斜している請求項１０に記載の液剤吐出容器。
【請求項１２】
前記軸支部は、
前記第２装着部に形成されていて前記軸支部の軸方向に延在する棒状の軸部と、
前記揺動部に形成されていて前記軸部を軸受けする軸受部と、
を含んで構成されている請求項８から１１のいずれか一項に記載の液剤吐出容器。
【請求項１３】
前記ヘッド部は、軸心が前記一方向に延在する筒状部を有し、
前記揺動部は、当該液剤吐出容器を前記一方向に視たときに前記筒状部を囲む環状に形成されており、
当該液剤吐出容器は、前記軸支部の軸方向において相互に離間した一対の作用部を有する請求項１から１２のいずれか一項に記載の液剤吐出容器。
【請求項１４】
前記軸支部と前記力点部とは、前記一方向と前記軸支部の軸方向との双方に対して直交する方向において、前記筒状部を間に挟んで互いに反対側に配置されており、
当該液剤吐出容器を前記軸支部の軸方向に視たときに、
前記揺動部は、
前記軸支部から前記一方向に対する反対方向の成分を持つ方向且つ前記力点部側に延びる第１部分と、
前記第１部分における前記力点部側の端部から前記力点部に向けて延びる第２部分と、
を有し、
前記第１部分と前記第２部分との境界部において前記一方向に対する反対方向に凸に屈曲しており、
前記揺動部の前記境界部と、前記筒状部の外周面から突出している突起部と、により前記作用部が構成されている請求項１３に記載の液剤吐出容器。
【請求項１５】
液剤を貯留する容器本体と、
前記容器本体に装着される装着部と、
前記装着部に対して上下動可能に前記装着部に保持され、前記装着部に対して相対的に押し下げられることにより前記液剤が通過するヘッド部と、
前記ヘッド部を通過した前記液剤を吐出する吐出口と、
前記装着部に対して相対的に下向き成分を持つ方向及びその反対方向に揺動可能に軸支部において軸支されているとともに、押下力を受ける力点部を有する揺動部と、
前記装着部に対して相対的に押し下げられる操作部であって、押し下げられる際に前記力点部を押し下げる押下部を有する操作部と、
前記力点部と前記軸支部との間に位置する作用部であって、前記力点部が押し下げられることにより前記揺動部が前記下向き成分を持つ方向に揺動する際に、前記揺動部から前記ヘッド部に対して押下力を伝達する作用部と、
前記操作部が押し下げられる際に、前記操作部の姿勢を維持させつつ前記ヘッド部に対する前記操作部の相対移動をガイドするガイド機構と、
を備え、
前記ガイド機構は、前記ヘッド部が有するガイド部と、前記ガイド部にガイドされる被ガイド部であって前記操作部が有する被ガイド部と、を含む液剤吐出容器。
【請求項１６】
液剤を貯留する容器本体に装着される装着部を備える液剤吐出器付きキャップであって、
前記装着部に対して一方向及び前記一方向に対する反対方向に移動可能に前記装着部に保持され、前記装着部に対して相対的に前記一方向に押し込まれることにより前記液剤が通過するヘッド部と、
前記ヘッド部を通過した前記液剤を吐出する吐出口と、
前記一方向の成分を持つ方向及びその反対方向に前記装着部に対して相対的に揺動可能に軸支部において軸支されているとともに、押し込み力を受ける力点部を有する揺動部と、
ユーザーの操作により前記装着部に対して相対的に押し込まれる操作部であって、押し込まれる際に前記力点部を押し込む押込部を有する操作部と、
前記力点部と前記軸支部との間に位置する作用部であって、前記力点部が押し込まれることにより前記揺動部が前記一方向の成分を持つ方向に揺動する際に、前記揺動部から前記ヘッド部に対して押し込み力を伝達する作用部と、
前記操作部が押し込まれる際に、前記操作部の姿勢を維持させつつ前記ヘッド部に対する前記操作部の相対移動をガイドするガイド機構と、
を備え、
当該液剤吐出器付きキャップを前記一方向に視たときに、前記ヘッド部の少なくとも一部分が前記操作部によって覆われる液剤吐出器付きキャップ。
【請求項１７】
液剤を貯留する容器本体に装着される装着部と、前記装着部に対して一方向及び前記一方向に対する反対方向に移動可能に前記装着部に保持され、前記装着部に対して相対的に前記一方向に押し込まれることにより前記液剤が通過するヘッド部と、前記ヘッド部を通過した前記液剤を吐出する吐出口と、を備える液剤吐出器付きキャップに装着して用いられる液剤吐出器用アタッチメントであって、
前記装着部に装着される第２装着部と、
前記一方向の成分を持つ方向及びその反対方向に前記第２装着部に対して相対的に揺動可能に軸支部において軸支されているとともに、押し込み力を受ける力点部を有する揺動部と、
ユーザーの操作により前記第２装着部に対して相対的に押し込まれる操作部であって、押し込まれる際に前記力点部を押し込む押込部を有する操作部と、
前記ヘッド部に対して相対的な前記一方向への移動が規制された状態で前記ヘッド部に装着されるヘッドカバー部と、
前記力点部と前記軸支部との間に位置する作用部であって、前記力点部が押し込まれることにより前記揺動部が前記一方向の成分を持つ方向に揺動する際に、前記揺動部から前記ヘッドカバー部に対して押し込み力を伝達する作用部と、
前記操作部が押し込まれる際に、前記操作部の姿勢を維持させつつ前記ヘッドカバー部に対する前記操作部の相対移動をガイドするガイド機構と、
を備え、
当該液剤吐出器用アタッチメントを前記一方向に視たときに、前記ヘッド部の少なくとも一部分が前記操作部によって覆われる液剤吐出器用アタッチメント。
【請求項１８】
請求項１から１５のいずれか一項に記載の液剤吐出容器と、
前記容器本体に充填された前記液剤と、
を備える液剤吐出容器詰め品。
【発明の詳細な説明】
【技術分野】
【０００１】
本発明は、液剤吐出容器、液剤吐出器付きキャップ、液剤吐出器用アタッチメント及び液剤吐出容器詰め品に関する。
【背景技術】
【０００２】
特許文献１及び２には、テコの原理を利用できる構造の液剤吐出容器について記載されている。これら液剤吐出容器は、押下操作を受け付ける操作部が、軸支部において軸支された構造となっており、操作部を押し下げ操作することによって、テコの原理を利用してヘッド部が押し下げられるようになっている。
【先行技術文献】
【特許文献】
【０００３】
【特許文献１】実開平５−７３５９号公報
【特許文献２】実開平５−５１４６９号公報
【発明の概要】
【発明が解決しようとする課題】
【０００４】
しかしながら、特許文献１及び２に記載の技術では、操作部を押し下げ操作する際に、操作部が軸支部を支点として揺動する。このため、ヘッド部を直に押し下げるタイプの通常の液剤吐出容器と比べて、操作部の操作感が大きく異なり、操作性が必ずしも良好ではない。
【０００５】
本発明は、上記の課題に鑑みなされたものであり、テコの原理を利用してヘッド部を押し込む（典型的には押し下げる）ことができ、且つ、ヘッド部を直に押し下げるタイプの液剤吐出容器に近い操作感を実現することが可能な構造の液剤吐出容器、液剤吐出器付きキャップ、液剤吐出器用アタッチメント及び液剤吐出容器詰め品に関する。
【課題を解決するための手段】
【０００６】
本発明は、液剤を貯留する容器本体を備える液剤吐出容器であって、
前記容器本体に装着される装着部と、
前記装着部に対して一方向及び前記一方向に対する反対方向に移動可能に前記装着部に保持され、前記装着部に対して相対的に前記一方向に押し込まれることにより前記液剤が通過するヘッド部と、
前記ヘッド部を通過した前記液剤を吐出する吐出口と、
前記一方向の成分を持つ方向及びその反対方向に前記装着部に対して相対的に揺動可能に軸支部において軸支されているとともに、押し込み力を受ける力点部を有する揺動部と、
ユーザーの操作により前記装着部に対して相対的に押し込まれる操作部であって、押し込まれる際に前記力点部を押し込む押込部を有する操作部と、
前記力点部と前記軸支部との間に位置する作用部であって、前記力点部が押し込まれることにより前記揺動部が前記一方向の成分を持つ方向に揺動する際に、前記揺動部から前記ヘッド部に対して押し込み力を伝達する作用部と、
前記操作部が押し込まれる際に、前記操作部の姿勢を維持させつつ前記ヘッド部に対する前記操作部の相対移動をガイドするガイド機構と、
を備え、
当該液剤吐出容器を前記一方向に視たときに、前記ヘッド部の少なくとも一部分が前記操作部によって覆われる液剤吐出容器を提供するものである。
【０００７】
また、本発明は、液剤を貯留する容器本体と、
前記容器本体に装着される装着部と、
前記装着部に対して上下動可能に前記装着部に保持され、前記装着部に対して相対的に押し下げられることにより前記液剤が通過するヘッド部と、
前記ヘッド部を通過した前記液剤を吐出する吐出口と、
前記装着部に対して相対的に下向き成分を持つ方向及びその反対方向に揺動可能に軸支部において軸支されているとともに、押下力を受ける力点部を有する揺動部と、
前記装着部に対して相対的に押し下げられる操作部であって、押し下げられる際に前記力点部を押し下げる押下部を有する操作部と、
前記力点部と前記軸支部との間に位置する作用部であって、前記力点部が押し下げられることにより前記揺動部が前記下向き成分を持つ方向に揺動する際に、前記揺動部から前記ヘッド部に対して押下力を伝達する作用部と、
前記操作部が押し下げられる際に、前記操作部の姿勢を維持させつつ前記ヘッド部に対する前記操作部の相対移動をガイドするガイド機構と、
を備え、
前記ガイド機構は、前記ヘッド部が有するガイド部と、前記ガイド部にガイドされる被ガイド部であって前記操作部が有する被ガイド部と、を含む液剤吐出容器を提供するものである。
【０００８】
また、本発明は、液剤を貯留する容器本体に装着される装着部を備える液剤吐出器付きキャップであって、
前記装着部に対して一方向及び前記一方向に対する反対方向に移動可能に前記装着部に保持され、前記装着部に対して相対的に前記一方向に押し込まれることにより前記液剤が通過するヘッド部と、
前記ヘッド部を通過した前記液剤を吐出する吐出口と、
前記一方向の成分を持つ方向及びその反対方向に前記装着部に対して相対的に揺動可能に軸支部において軸支されているとともに、押し込み力を受ける力点部を有する揺動部と、
ユーザーの操作により前記装着部に対して相対的に押し込まれる操作部であって、押し込まれる際に前記力点部を押し込む押込部を有する操作部と、
前記力点部と前記軸支部との間に位置する作用部であって、前記力点部が押し込まれることにより前記揺動部が前記一方向の成分を持つ方向に揺動する際に、前記揺動部から前記ヘッド部に対して押し込み力を伝達する作用部と、
前記操作部が押し込まれる際に、前記操作部の姿勢を維持させつつ前記ヘッド部に対する前記操作部の相対移動をガイドするガイド機構と、
を備え、
当該液剤吐出器付きキャップを前記一方向に視たときに、前記ヘッド部の少なくとも一部分が前記操作部によって覆われる液剤吐出器付きキャップを提供するものである。
【０００９】
また、本発明は、液剤を貯留する容器本体に装着される装着部と、前記装着部に対して一方向及び前記一方向に対する反対方向に移動可能に前記装着部に保持され、前記装着部に対して相対的に前記一方向に押し込まれることにより前記液剤が通過するヘッド部と、前記ヘッド部を通過した前記液剤を吐出する吐出口と、を備える液剤吐出器付きキャップに装着して用いられる液剤吐出器用アタッチメントであって、
前記装着部に装着される第２装着部と、
前記一方向の成分を持つ方向及びその反対方向に前記第２装着部に対して相対的に揺動可能に軸支部において軸支されているとともに、押し込み力を受ける力点部を有する揺動部と、
ユーザーの操作により前記第２装着部に対して相対的に押し込まれる操作部であって、押し込まれる際に前記力点部を押し込む押込部を有する操作部と、
前記ヘッド部に対して相対的な前記一方向への移動が規制された状態で前記ヘッド部に装着されるヘッドカバー部と、
前記力点部と前記軸支部との間に位置する作用部であって、前記力点部が押し込まれることにより前記揺動部が前記一方向の成分を持つ方向に揺動する際に、前記揺動部から前記ヘッドカバー部に対して押し込み力を伝達する作用部と、
前記操作部が押し込まれる際に、前記操作部の姿勢を維持させつつ前記ヘッドカバー部に対する前記操作部の相対移動をガイドするガイド機構と、
を備え、
当該液剤吐出器用アタッチメントを前記一方向に視たときに、前記ヘッド部の少なくとも一部分が前記操作部によって覆われる液剤吐出器用アタッチメントを提供するものである。
【００１０】
また、本発明は、本発明の液剤吐出容器と、前記容器本体に充填された前記液剤と、を備える液剤吐出容器詰め品を提供するものである。
【発明の効果】
【００１１】
本発明によれば、テコの原理を利用してヘッド部を押し込む（典型的には押し下げる）ことができ、且つ、ヘッド部を直に押し下げるタイプの液剤吐出容器に近い操作感を実現することができる。
【図面の簡単な説明】
【００１２】
【図１】第１の実施形態に係る液剤吐出容器詰め品の側面図である。
【図２】第１の実施形態に係る液剤吐出器付きキャップの側面図である。
【図３】第１の実施形態に係る液剤吐出器付きキャップの上部を示す側面図である。
【図４】第１の実施形態に係る液剤吐出器付きキャップの上部を示す斜め後方下側からの斜視図である。
【図５】第１の実施形態に係る液剤吐出器付きキャップの上部を示す側断面図である。
【図６】第１の実施形態に係る液剤吐出器付きキャップから第２装着部、ヘッド部、揺動部及び操作部を取り外した状態を示す側面図である。
【図７】図７（ａ）及び図７（ｂ）は第２装着部を示す図であり、このうち図７（ａ）は側面図、図７（ｂ）は平面図である。
【図８】図８（ａ）及び図８（ｂ）はヘッド部を示す図であり、このうち図８（ａ）は側面図、図８（ｂ）は底面図である。
【図９】図９（ａ）及び図９（ｂ）は操作部を示す図であり、このうち図９（ａ）は側面図、図９（ｂ）は底面図である。
【図１０】第１の実施形態に係る液剤吐出器付きキャップの側面図であり、操作部が押下された状態を示す。
【図１１】第２の実施形態に係る液剤吐出器付きキャップの上部を示す側面図である。
【図１２】第２の実施形態に係る液剤吐出器付きキャップの上部を示す正面図である。
【図１３】第２の実施形態に係る液剤吐出器付きキャップの上部を示す斜め後方下側からの斜視図である。
【図１４】第２の実施形態に係る液剤吐出器付きキャップの上部を示す側断面図である。
【図１５】第３の実施形態に係る液剤吐出器付きキャップの上部を示す側面図である。
【図１６】図１６（ａ）及び図１６（ｂ）は第４の実施形態に係る液剤吐出器用アタッチメントのヘッドカバー部の説明図であり、このうち図１６（ａ）はヘッドカバー部をヘッド部から取り外した状態を示す斜視図、図１６（ｂ）はヘッドカバー部をヘッド部に装着した状態を示す斜視図である。
【図１７】第５の実施形態に係る液剤吐出器付きキャップの上部を示す斜め前方上側からの斜視図である。
【図１８】第５の実施形態に係る液剤吐出器付きキャップの平面図である。
【図１９】第５の実施形態に係る液剤吐出器付きキャップの上部を示す側面図であり、操作部及びヘッド部がそれぞれ上死点に位置する状態を示す。
【図２０】第５の実施形態に係る液剤吐出器付きキャップの上部を示す側面図であり、操作部及びヘッド部がそれぞれ上死点と下死点との中間に位置する状態を示す。
【図２１】第５の実施形態に係る液剤吐出器付きキャップの上部を示す側面図であり、操作部及びヘッド部がそれぞれ下死点に位置する状態を示す。
【図２２】第５の実施形態に係る液剤吐出器付きキャップの上部を示す側断面図であり、操作部及びヘッド部がそれぞれ上死点に位置する状態を示す。
【図２３】図２２のＡ部の拡大図である。
【図２４】第５の実施形態に係る液剤吐出器付きキャップの軸支部及びその周辺部を図１９の矢印Ａ方向に視た図である。
【図２５】第６の実施形態に係る液剤吐出器付きキャップの上部を示す斜め前方上側からの斜視図である。
【図２６】図２６（ａ）及び図２６（ｂ）は第６の実施形態に係る液剤吐出器付きキャップの上部を示す図であって、操作部及びヘッド部がそれぞれ上死点に位置する状態を示しており、このうち図２６（ａ）は側面図、図２６（ｂ）は側断面図である。
【図２７】図２７（ａ）及び図２７（ｂ）は第６の実施形態に係る液剤吐出器付きキャップの上部を示す図であって、操作部及びヘッド部がそれぞれ上死点と下死点との中間に位置する状態を示しており、このうち図２７（ａ）は側面図、図２７（ｂ）は側断面図である。
【図２８】図２８（ａ）及び図２８（ｂ）は第６の実施形態に係る液剤吐出器付きキャップの上部を示す図であって、操作部及びヘッド部がそれぞれ下死点に位置する状態を示しており、このうち図２８（ａ）は側面図、図２８（ｂ）は側断面図である。
【図２９】第７の実施形態に係る液剤吐出器付きキャップを示す斜め前方上側からの斜視図であり、操作部及びヘッド部がそれぞれ上死点に位置する状態を示す。
【図３０】第７の実施形態に係る液剤吐出器付きキャップを示す斜め前方上側からの斜視図であり、操作部及びヘッド部がそれぞれ下死点に位置する状態を示す。
【図３１】第７の実施形態に係る液剤吐出器付きキャップの側断面図であり、ヘッド部が起立筒と螺合することによって装着部に対して固定された状態を示す。
【図３２】第８の実施形態に係る液剤吐出器付きキャップの上部を示す斜め前方上側からの斜視図である。
【図３３】第８の実施形態に係る液剤吐出器付きキャップの上部の平断面図（図３４のＡ−Ａ線に沿った断面図）である。
【図３４】第８の実施形態に係る液剤吐出器付きキャップの側面図であり、操作部及びヘッド部がそれぞれ上死点に位置する状態を示す。
【図３５】第８の実施形態に係る液剤吐出器付きキャップの側面図であり、操作部及びヘッド部がそれぞれ下死点に位置する状態を示す。
【発明を実施するための形態】
【００１３】
以下、本発明の実施形態について、図面を用いて説明する。なお、すべての図面において、同様の構成要素には同一の符号を付し、重複する説明は適宜に省略する。
【００１４】
〔第１の実施形態〕
先ず、図１から図１０を用いて第１の実施形態を説明する。
本実施形態に係る液剤吐出容器１００は、液剤１５０を貯留する容器本体１０を備える液剤吐出容器１００であって、容器本体１０に装着される装着部５２と、装着部５２に対して一方向及び当該一方向に対する反対方向に移動可能に装着部５２に保持され装着部５２に対して相対的に上記一方向に押し込まれることにより液剤１５０が通過するヘッド部３０と、ヘッド部３０を通過した液剤１５０を吐出する吐出口４１と、を備えている。
ここで、一方向とは、装着部５２に対するヘッド部３０の押し込み方向である。
更に、液剤吐出容器１００は、上記一方向の成分を持つ方向及びその反対方向に装着部５２に対して相対的に揺動可能に軸支部９１において軸支されているとともに、押し込み力を受ける力点部１６１を有する揺動部１６０を備えている。ここで、軸支部９１の軸の方向は、上記一方向に対して直交する方向であることが好ましい一例であるが、装着部５２に対する揺動部１６０の揺動の方向が上記一方向の成分を持つ方向及びその反対方向になる限りにおいて、上記一方向に対して直交する方向に対して交差する方向であっても良い。本実施形態の場合、軸支部９１の軸の方向は、上記一方向に対して直交する方向である。
更に、液剤吐出容器１００は、ユーザーの操作により装着部５２に対して相対的に押し込まれる操作部２０を備えている。操作部２０は、当該操作部２０が押し込まれる際に力点部１６１を押し込む押込部（例えば押下部２１）を有する。
更に、液剤吐出容器１００は、力点部１６１と軸支部９１との間に位置する作用部であって、力点部１６１が押し込まれることにより揺動部１６０が上記一方向の成分を持つ方向に揺動する際に、揺動部１６０からヘッド部３０に対して押し込み力を伝達する作用部（例えば図３に示す作用面１６５ａと突起部３３とにより構成される）を備えている。
更に、液剤吐出容器１００は、操作部２０が押し込まれる際に、操作部２０の姿勢を維持させつつヘッド部３０に対する操作部２０の相対移動をガイドするガイド機構（例えばガイド部３８と被ガイド部２４とにより構成される）を備えている。ここで、操作部２０の姿勢を維持させるとは、操作部２０の姿勢の変化を揺動部１６０の姿勢の変化よりも抑制することを意味し、好ましくは、操作部２０の姿勢を一定に維持させることを意味する。
そして、液剤吐出容器１００を上記一方向に視たときに、ヘッド部３０の少なくとも一部分が操作部２０によって覆われるように、液剤吐出容器１００は構成されている。
【００１５】
操作部２０が押し込まれる際には、操作部２０の押込部（押下部２１）によって、揺動部１６０の力点部１６１が押し込まれるため、揺動部１６０が軸支部９１を支点として上記一方向の成分を持つ方向に揺動する。その際に、作用部が揺動部１６０からヘッド部３０に対して押し込み力を伝達することにより、ヘッド部３０が押し込まれる。
ここで、作用部は力点部１６１と軸支部９１との間に位置しているため、テコの原理によって、押込部が力点部１６１を押す力が、揺動部１６０がヘッド部３０を押す力よりも小さくなる。
更に、操作部２０が押し込まれる際に、ガイド機構によって、操作部２０の姿勢が維持される。
よって、テコの原理を利用してヘッド部３０を押し込むことができ、且つ、ヘッド部３０を直に押し下げるタイプの液剤吐出容器に近い操作感を実現することができる。
なお、力点部１６１を有する揺動部１６０とは別体の操作部２０が押し込み操作を受け付けるため、操作部２０は揺動させる必要が無く、揺動部１６０とは別の移動軌跡で操作部２０を移動させることが可能となる。よって、操作部２０の姿勢を維持させつつ操作部２０をヘッド部３０に対して相対移動させる構成を容易に実現することができ、ヘッド部３０を直に押し下げるタイプの液剤吐出容器に近い操作感を容易に実現することができる。
これに対し、特許文献１、２の技術では、操作部自体が力点部となっていて揺動するので、ヘッド部３０を直に押し下げるタイプに近い操作感を得ることができない。
【００１６】
液剤吐出容器１００を上記一方向に視たときに、作用部の少なくとも一部分が操作部２０によって覆われることが好ましく、作用部の全体が操作部２０によって覆われることが更に好ましい。
【００１７】
液剤吐出容器１００を上記一方向に視たときに、力点部１６１の少なくとも一部分が操作部２０によって覆われることが好ましく、力点部１６１の全体が操作部２０によって覆われることが更に好ましい。
本実施形態の場合、液剤吐出容器１００を上記一方向に視たときに、力点部１６１の全体が操作部２０によって覆われる。
【００１８】
本実施形態の場合、操作部２０は、一方向に対して直交する板状に形成されていて押し込み操作を受ける操作受部２５を有し、液剤吐出容器１００を上記一方向に視たときに、ヘッド部３０の少なくとも一部分が操作受部２５によって覆われる。
【００１９】
本実施形態の場合、ヘッド部３０は、軸心が上記一方向に延在する筒状部（外筒部３２）を有し、筒状部の軸心の延長上に操作部２０が配置されている。より詳細には、外筒部３２の軸心の延長上に操作受部２５が配置されている。
【００２０】
また、本実施形態の場合、液剤吐出容器１００を上記一方向に視たときに、筒状部（外筒部３２）の全体が操作部２０（例えば操作受部２５）によって覆われる。
【００２１】
また、本実施形態の場合、液剤吐出容器１００を上記一方向に視たときに、ガイド機構の少なくとも一部分が操作部２０（例えば操作受部２５）によって覆われる。より詳細には、液剤吐出容器１００を上記一方向に視たときに、ガイド機構の全体が操作部２０（例えば操作受部２５）によって覆われる。
また、好ましくは、液剤吐出容器１００を上記一方向に視たときに、操作部２０の外形の重心がヘッド部３０と重なる。
【００２２】
ここで、本発明は、操作部２０及びヘッド部３０を下方向に押し込む容器に好適に適用される。このため、本実施形態の場合、上記一方向は下方向であり、上記一方向に対する反対方向は上方向である。したがって、液剤吐出容器１００を上記一方向に視たときとは、液剤吐出容器１００を平面視したときと同義となる。
すなわち、本実施形態に係る液剤吐出容器１００は、液剤１５０を貯留する容器本体１０と、容器本体１０に装着される装着部５２と、装着部５２に対して上下動可能に装着部５２に保持され装着部５２に対して相対的に押し下げられることにより液剤１５０が通過するヘッド部３０と、ヘッド部３０を通過した液剤１５０を吐出する吐出口４１と、を備えている。
更に、液剤吐出容器１００は、装着部５２に対して相対的に下向き成分を持つ方向及びその反対方向に揺動可能に軸支部９１において軸支されているとともに、押下力を受ける力点部１６１を有する揺動部１６０を備えている。ここで、軸支部９１の軸の方向は、水平方向であることが好ましい一例であるが、装着部５２に対する揺動部１６０の揺動の方向が下向き成分を持つ方向及びその反対方向になる限りにおいて、水平方向に対して交差する方向であっても良い。
更に、液剤吐出容器１００は、装着部５２に対して相対的に押し下げられる操作部２０を備えている。操作部２０は、当該操作部２０が押し下げられる際に力点部１６１を押し下げる押下部２１を有する。
更に、液剤吐出容器１００は、力点部１６１と軸支部９１との間に位置する作用部であって、力点部１６１が押し下げられることにより揺動部１６０が下向き成分を持つ方向に揺動する際に、揺動部１６０からヘッド部３０に対して押下力を伝達する作用部（例えば図３に示す作用面１６５ａと突起部３３とにより構成される）を備えている。
更に、液剤吐出容器１００は、操作部２０が押し下げられる際に、操作部２０の姿勢を維持させつつヘッド部３０に対する操作部２０の相対移動をガイドするガイド機構（例えばガイド部３８と被ガイド部２４とにより構成される）を備えている。
ここで、操作部２０の姿勢を維持させるとは、操作部２０の姿勢の変化を揺動部１６０の姿勢の変化よりも抑制することを意味し、好ましくは、操作部２０の天地方向を一定に維持させることを意味する。
そして、平面視において、ヘッド部３０の少なくとも一部分が操作部２０によって覆われる。
【００２３】
なお、本発明は、この例に限らず、上記一方向は、下方向に限定されない。例えば、上記一方向は、水平方向であってもよいし、その他の方向であってもよい。
【００２４】
本実施形態の場合、操作部２０が押し下げられる際には、操作部２０の押下部２１によって、揺動部１６０の力点部１６１が押し下げられるため、揺動部１６０が軸支部９１を支点として下向き成分を持つ方向に揺動する。その際に、作用部が揺動部１６０からヘッド部３０に対して押下力を伝達することにより、ヘッド部３０が押し下げられる。
ここで、作用部は力点部１６１と軸支部９１との間に位置しているため、テコの原理によって、押下部２１が力点部１６１を押す力が、揺動部１６０がヘッド部３０を押す力よりも小さくなる。
更に、操作部２０が押し下げられる際に、ガイド機構によって、操作部２０の姿勢が維持される。
よって、テコの原理を利用してヘッド部３０を押し下げることができ、且つ、ヘッド部３０を直に押し下げるタイプの液剤吐出容器に近い操作感を実現することができる。
なお、力点部１６１を有する揺動部１６０とは別体の操作部２０が押し下げ操作を受け付けるため、操作部２０は揺動させる必要が無く、揺動部１６０とは別の移動軌跡で操作部２０を移動させることが可能となる。よって、操作部２０の姿勢を維持させつつ操作部２０をヘッド部３０に対して相対移動させる構成を容易に実現することができ、ヘッド部３０を直に押し下げるタイプの液剤吐出容器に近い操作感を容易に実現することができる。
これに対し、特許文献１、２の技術では、操作部自体が力点部となっていて揺動するので、ヘッド部３０を直に押し下げるタイプに近い操作感を得ることができない。
【００２５】
また、本実施形態に係る液剤吐出容器詰め品２００は、本実施形態に係る液剤吐出容器１００と、容器本体１０に充填された液剤１５０と、を備えて構成されている。
【００２６】
図１から図５の各図に示す状態は、操作部２０及びヘッド部３０が押し下げられていない通常時の状態（通常状態）である。一方、図１０に示す状態は、操作部２０及びヘッド部３０が下限位置まで押し下げられた状態（以下、単に押下状態という場合がある）である。
図１〜図３、図５、図７（ａ）〜図１０における左方向が前方、図１〜図３、図５、図７（ａ）〜図１０における右方向が後方であるものとし、図１〜図３、図５、図７（ａ）、図８（ａ）、図９（ａ）及び図１０における紙面の奥側方向が左方、図１〜図３、図５、図７（ａ）、図８（ａ）、図９（ａ）及び図１０における紙面の手前側方向が右方であるものとする。
なお、軸支部９１の軸の方向（以下、軸方向と称する：後述する軸部１６４の延在方向）は、例えば左右方向となっている。
【００２７】
本実施形態では、液剤１５０として、泡状にして吐出されるものを例示する。このような液剤としては、ハンドソープを代表例として挙げることができるが、これに限られず、洗顔料、クレンジング剤、食器用洗剤、整髪料、ボディソープ、髭剃り用クリーム、ファンデーションや美容液等の肌用化粧料、染毛剤、消毒薬など、泡状で用いられる種々のものを例示することができる。
ただし、本発明における液剤１５０としては、泡状にして吐出されるものに限られず、流動性の液剤のまま吐出されるものも含まれ、そのような液剤１５０としては、ハンドソープ、洗顔料、クレンジング剤、食器用洗剤、整髪料、ボディソープ、髭剃り用ジェル、ファンデーションや美容液等の肌用化粧料、染毛剤、消毒薬などを例示することができる。
【００２８】
容器本体１０には、常圧で、または加圧されて、液剤１５０が貯留される。液剤吐出容器１００は、常圧で貯留された液剤１５０を空気と接触させることにより、または加圧下で貯留された液剤１５０を吐出時に大気圧に解放させることにより、液剤１５０を泡状に変化させる。本明細書では、泡状の液剤１５０を泡体と呼称して、容器本体１０に貯留されている非泡状の液剤１５０と区別する。
液剤吐出容器１００は、例えば、機械式のポンプ容器であり、操作部２０を介して間接的にヘッド部３０を押下操作することにより、液剤１５０を泡体として吐出する。
ただし、本実施形態とは異なり、ボンベ等に貯留された高圧ガスなどを用いて液剤１５０（泡体）を吐出するように、液剤吐出容器が構成されていても良い。
【００２９】
容器本体１０の形状は特に限定されないが、例えば、図１に示すように、容器本体１０は、筒状の胴部１１と、胴部１１の上側に連接されていて上方に向けて内腔の平断面積が縮小する肩部１２と、肩部１２の上側に連接されている円筒状の口頸部１３と、胴部１１の下端を閉塞している底部１４と、を有する形状となっている。容器本体１０の材料は特に限定されないが、容器本体１０は、例えば、合成樹脂により成形されている。口頸部１３の上端には開口が形成されている。
【００３０】
本実施形態に係る液剤吐出器付きキャップ５０は、液剤吐出容器１００の構成のうち容器本体１０を除く部分により構成されている。
すなわち、液剤吐出器付きキャップ５０は、液剤１５０を貯留する容器本体１０に装着される装着部５２を備える液剤吐出器付きキャップ５０であって、装着部５２に対して上記一方向及び上記一方向に対する反対方向に移動可能に装着部５２に保持され装着部５２に対して相対的に上記一方向に押し込まれることにより液剤１５０が通過するヘッド部３０と、ヘッド部３０を通過した液剤１５０を吐出する吐出口４１と、上記一方向の成分を持つ方向及びその反対方向に装着部５２に対して相対的に揺動可能に軸支部９１において軸支されているとともに押し込み力を受ける力点部１６１を有する揺動部１６０と、ユーザーの操作により装着部５２に対して相対的に押し込まれる操作部２０であって押し込まれる際に力点部１６１を押し込む押込部（押下部２１）を有する操作部２０と、力点部１６１と軸支部９１との間に位置する作用部であって力点部１６１が押し込まれることにより揺動部１６０が上記一方向の成分を持つ方向に揺動する際に揺動部１６０からヘッド部３０に対して押し込み力を伝達する作用部（例えば図３に示す作用面１６５ａと突起部３３とにより構成される）と、操作部２０が押し込まれる際に操作部２０の姿勢を維持させつつヘッド部３０に対する操作部２０の相対移動をガイドするガイド機構（例えばガイド部３８と被ガイド部２４とにより構成される）と、を備え、当該液剤吐出器付きキャップ５０を上記一方向に視たときに、ヘッド部３０の少なくとも一部分が操作部２０によって覆われる。
より詳細には、液剤吐出器付きキャップ５０は、液剤１５０を貯留する容器本体１０に装着される装着部５２と、装着部５２に対して上下動可能に装着部５２に保持され装着部５２に対して相対的に押し下げられることにより液剤１５０が通過するヘッド部３０と、ヘッド部３０を通過した液剤１５０を吐出する吐出口４１と、装着部５２に対して相対的に下向き成分を持つ方向及びその反対方向に揺動可能に軸支部９１において軸支されているとともに押下力を受ける力点部１６１を有する揺動部１６０と、装着部５２に対して相対的に押し下げられる操作部２０であって押し下げられる際に力点部１６１を押し下げる押下部２１を有する操作部２０と、力点部１６１と軸支部９１との間に位置する作用部であって力点部１６１が押し下げられることにより揺動部１６０が下向き成分を持つ方向に揺動する際に揺動部１６０からヘッド部３０に対して押下力を伝達する作用部（例えば図３に示す作用面１６５ａと突起部３３とにより構成される）と、操作部２０が押し下げられる際に操作部２０の姿勢を維持させつつヘッド部３０に対する操作部２０の相対移動をガイドするガイド機構（例えばガイド部３８と被ガイド部２４とにより構成される）と、を備え、平面視において、ヘッド部３０の少なくとも一部分が操作部２０によって覆われる。
【００３１】
装着部５２は、例えば螺合等の止着方法によって口頸部１３に対して着脱可能に装着されている。これにより、口頸部１３には、装着部５２、ヘッド部３０、操作部２０、揺動部１６０等を含む液剤吐出器付きキャップ５０の全体が装着されている。口頸部１３に液剤吐出器付きキャップ５０が装着されることにより、液剤吐出器付きキャップ５０によって口頸部１３の開口が閉塞されている。
【００３２】
装着部５２は、内周面にねじ山が形成された筒状部と、筒状部の上端を当該上端の中央部を除いて閉塞している天面部と、を有している。
液剤吐出器付きキャップ５０は、更に、装着部５２の天面部から上方に向けて起立している筒状の起立筒５３を備えている。
【００３３】
ヘッド部３０は、例えば、ヘッド本体部３１と、ヘッド本体部３１から水平方向成分を持つ方向に突出し、吐出口４１が形成されているノズル部４０と、を備えている。
ヘッド本体部３１は、後述する昇降部５０ａ（図６）によって保持されている。昇降部５０ａは、起立筒５３の軸方向（つまり上下方向）において起立筒５３に対して相対移動可能となっている。したがって、ヘッド本体部３１、ひいてはヘッド部３０の全体も、起立筒５３の軸方向において起立筒５３に対して相対移動可能である。
【００３４】
図５に示すように、ヘッド本体部３１は、例えば、外筒部３２と、外筒部３２と同軸に外筒部３２の内側に配置されている内筒部３４と、を有する二重筒構造となっている。本実施形態の場合、外筒部３２と内筒部３４とは、ヘッド本体部３１の上端部において相互に連結されている。
外筒部３２及び内筒部３４は、起立筒５３とも同軸に配置されている。平面視において、起立筒５３の外方に外筒部３２が配置され、起立筒５３の内方に内筒部３４が配置されており、外筒部３２及び内筒部３４、ひいてはヘッド本体部３１の全体は、起立筒５３により上下方向にガイドされている。起立筒５３の上端部は、内筒部３４の内部空間に連通している。
内筒部３４の上端面は閉塞されている。より詳細には、外筒部３２の上端面が閉塞されている。
ノズル部４０は、筒状に形成され、ヘッド本体部３１の上端部から前方に向けて水平に突出している。ノズル部４０の基端部の内部空間は、内筒部３４の上端部の内部空間と連通している（図５参照）。吐出口４１は、例えば、前向きに開口する状態でノズル部４０の先端に形成されている。
【００３５】
ヘッド部３０が操作部２０により押し下げられていない通常の状態（通常状態）においては、図２に示すバネ体５８の作用により、起立筒５３に対する昇降部５０ａ（図６）及びヘッド部３０の上下方向位置が上限位置となる（図１〜図５）。
一方、ユーザーが操作部２０に対して押下操作を行うことにより、詳細は後述するが、揺動部１６０を介してヘッド部３０に押下力が伝達され、ヘッド部３０はバネ体５８の付勢に抗して昇降部５０ａと一体に押し下げられる。その結果、ヘッド本体部３１が起立筒５３に対して相対的に下降して外筒部３２が装着部５２に近づき、例えば、外筒部３２により起立筒５３が覆われた状態となる（図１０）。
操作部２０に対する押下操作が解除されると、バネ体５８の付勢に従って昇降部５０ａと一体にヘッド部３０が上昇し、通常状態に復帰する。その際、操作部２０も押下操作前の位置に復帰する。
【００３６】
図２に示すように、液剤吐出器付きキャップ５０は、ヘッド部３０、起立筒５３、装着部５２及びバネ体５８の他に、ピストン５５、ハウジング５６、吸引管５７及び泡生成部５１を備えている。
ハウジング５６は、ピストン５５及びバネ体５８を収容しているとともに、起立筒５３、内筒部３４、及びノズル部４０の内部を介して吐出口４１と連通している。
吸引管５７は、容器本体１０内の液剤１５０を吸い上げる管であり、ハウジング５６の内部と連通しているとともに、ハウジング５６から下方に垂下している。
液剤吐出器付きキャップ５０が口頸部１３に装着された状態で、ハウジング５６及び吸引管５７は容器本体１０の内部に位置する。
ピストン５５は、ハウジング５６内において上下方向に往復動が可能となっている。ピストン５５の下端には球状の弁体５９が形成されている。弁体５９は、ハウジング５６および吸引管５７に貯留された液剤１５０の流下を抑止する。
ユーザーが操作部２０を押し下げることによって揺動部１６０を介してヘッド部３０が押し下げられると、ピストン５５によりその下端の弁体５９の上昇（開放）が規制された状態で、ハウジング５６の内部の空気圧が上昇する。ピストン５５には、ハウジング５６とヘッド部３０とを連通させる小孔の液流路（不図示）が設けられている。液流路の開口面積は十分に小さいため、ヘッド部３０を押し下げることによってハウジング５６の空気圧が上昇し、その後に液剤１５０はハウジング５６からヘッド部３０に押し上げられる。ヘッド部３０には、外部と連通する空気流路（不図示）が設けられている。
液剤吐出器付きキャップ５０の内部には液剤１５０の流路上に泡生成部５１が設けられている。泡生成部５１では、液剤１５０に対して空気が吹き付けられることにより、液剤１５０が粗い泡になる。この粗い泡が泡生成部５１における後段部分に配置されたメッシュを通過することにより、きめ細かく均一な泡体となる。そして、この泡体が、内筒部３４の内部からノズル部４０内に導入され、ノズル部４０を介して吐出口４１から吐出される。
操作部２０の押下操作が解除されると、バネ体５８が弾性復帰することによってピストン５５が上方位置に復帰する。これによりハウジング５６の内部は低圧となり、弁体５９が開放されて新たな液剤１５０が吸引管５７を介してハウジング５６に吸い上げられる。なお、空気流路を通じて液剤吐出器付きキャップ５０の内部に外部の空気が取り込まれることによって液剤吐出器付きキャップ５０の内部は大気圧に維持される。
ここで、図６は液剤吐出器付きキャップ５０から、後述する第２装着部１７０、ヘッド部３０、揺動部１６０及び操作部２０を取り外した状態を示す側面図である。図６に示すように、泡生成部５１は、例えば、昇降部５０ａ内に保持されている（図６参照）。昇降部５０ａは、ピストン５５とともに昇降可能となっている。
ここで説明した液剤吐出器付きキャップ５０の構造および動作は一例であり、その他の広く知られている構造のものを本実施形態に適用しても何ら差し支えが無い。
【００３７】
なお、図３〜図５及び図１０の各図においては、液剤吐出器付きキャップ５０の上部の構成の外観のみを示しており、液剤吐出器付きキャップ５０の構成のうち、泡生成部５１、ピストン５５、ハウジング５６、バネ体５８、弁体５９及び吸引管５７等の図示を省略している。
また、図６においても、液剤吐出器付きキャップ５０の構成のうち、装着部５２よりも下の構成の図示を省略している。
なお、後述する他の実施形態においても、液剤吐出器付きキャップ５０を示す各図（断面図を除く）においては、液剤吐出器付きキャップ５０の上部の構成の外観を示しており、液剤吐出器付きキャップ５０の構成のうち、泡生成部５１、ピストン５５、ハウジング５６、バネ体５８、弁体５９及び吸引管５７等の図示を適宜省略している。また、後述する他の実施形態の断面図においても、泡生成部５１、ピストン５５、ハウジング５６、バネ体５８、弁体５９及び吸引管５７等の図示を省略している。
【００３８】
液剤吐出容器１００は、更に、装着部５２に装着（例えば着脱可能に装着）される第２装着部１７０を備え、揺動部１６０は、第２装着部１７０に対して軸支部９１において軸支されている。
図７（ａ）及び図７（ｂ）に示すように、第２装着部１７０は、平面視弧状の内周壁部１７１と、内周壁部１７１と同軸に内周壁部１７１の外周側に配置された平面視弧状の外周壁部１７２と、内周壁部１７１と外周壁部１７２とを相互に連結している連結部１７３と、外周壁部１７２の前部から上方に向けて起立している支持部１７４と、を備えて構成されている。
内周壁部１７１の内径は起立筒５３の外径と同等の大きさに設定されており、内周壁部１７１に起立筒５３が圧入されて嵌め込まれることにより、第２装着部１７０が装着部５２に装着されている（図３）。すなわち、第２装着部１７０は、起立筒５３を介して間接的に、装着部５２に対して着脱可能に装着されている。第２装着部１７０は、装着部５２に装着された状態で、装着部５２に対して相対的に上下に移動することが規制されている。
連結部１７３は、例えば、平面視弧状の水平な板状部であり、内周壁部１７１の下端と外周壁部１７２の下端とを相互に連結している。
支持部１７４の上部は、外周壁部１７２の上端よりも上方に突出している。支持部１７４の上部には、揺動部１６０の軸部１６４（図３）を軸受けする軸受部１７５が形成されている。より詳細には、軸受部１７５は、軸部１６４の軸方向が水平方向（例えば左右方向）となるように、軸部１６４を軸受けする。軸部１６４と軸受部１７５とにより軸支部９１が構成されている。
このように、液剤吐出容器１００は、装着部５２に対して装着される第２装着部１７０を備え、揺動部１６０は第２装着部１７０に対して軸支部９１において軸支される。
なお、ヘッド部３０が押し下げられることにより、内周壁部１７１と外周壁部１７２との間隙に、ヘッド部３０の外筒部（筒状部）３２の周壁の一部分が入り込むようになっている。
このように、液剤吐出容器１００は、装着部５２から上記一方向に対する反対方向に起立している起立筒５３を備え、第２装着部１７０は、起立筒５３が嵌め込まれることにより装着部５２に装着される内周壁部１７１と、内周壁部１７１と同軸に配置された外周壁部１７２と、を有し、内周壁部１７１及び外周壁部１７２の各々は上記一方向に視たときに弧状となる形状に形成されており、ヘッド部３０は、筒状部（外筒部３２）を有し、ヘッド部３０が押し込まれることにより、内周壁部１７１と外周壁部１７２との間隙に筒状部（外筒部３２）の周壁の一部分が入り込む。
【００３９】
図８（ａ）及び図８（ｂ）に示すように、ヘッド部３０は、外筒部３２と内筒部３４とを有するヘッド本体部３１と、吐出口４１が形成されているノズル部４０と、を備えている。
外筒部３２の左右の側面の各々には、ガイド部３８と、突起部３３とが形成されている。
より詳細には、ガイド部３８は、例えば、上下に直線状に延在する第１ガイドリブ３８ａと、第１ガイドリブ３８ａの前側において上下に直線状に延在する第２ガイドリブ３８ｂと、前後を第２ガイドリブ３８ｂと第１ガイドリブ３８ａとにより挟まれていて上下に直線状に延在するガイド溝３８ｃと、を含んで構成されている。ガイド部３８（第１ガイドリブ３８ａ、第２ガイドリブ３８ｂ及びガイド溝３８ｃは、例えば、ヘッド本体部３１の上端から下端に亘って、上下に延在している。
また、突起部３３は、例えば、第２ガイドリブ３８ｂから側方に突出した状態に形成されている（図４参照）。なお、第２ガイドリブ３８ｂの頂部（側端面）は、突起部３３の下側において滑らかな曲線状に傾斜している（外筒部３２の側面からの第２ガイドリブ３８ｂの突出長が、突起部３３に近づくにつれて徐々に高くなっている）。これにより、第２ガイドリブ３８ｂ及び突起部３３の構造的強度が高められているとともに、ヘッド部３０が押し下げられた際に突起部３３と装着部５２との間に指が挟まってしまうことを抑制できるようになっている。
なお、突起部３３の上端は、ヘッド部３０の上面３０ａよりも下方に配置されている。
ヘッド部３０は、内筒部３４の内部に昇降部５０ａ（図６）が嵌入することにより、昇降部５０ａによって保持されている。
【００４０】
図３に示すように、軸支部９１はヘッド部３０の外筒部３２の前側に配置されるようになっている。また、力点部１６１は外筒部３２の後側に配置されるようになっている。すなわち、軸支部９１と力点部１６１とは、上記一方向と軸支部９１の軸方向との双方に対して直交する方向（例えば前後方向）において、筒状部（外筒部３２）を間に挟んで互いに反対側に配置されている。
ここで、側面視において（つまり液剤吐出容器１００を軸支部９１の軸方向に視たときに）、揺動部１６０は、軸支部９１から上記一方向に対する反対方向の成分を持つ方向且つ力点部１６１側に延びる第１部分１６２と、第１部分１６２における力点部１６１側の端部から力点部１６１に向けて延びる第２部分１６３と、を有している。そして、液剤吐出容器１００を軸支部９１の軸方向に視たときに、揺動部１６０は、第１部分１６２と第２部分１６３との境界部１６５において上記一方向に対する反対方向に凸に屈曲している。
つまり、本実施形態の場合、揺動部１６０は、側面視において、第１部分１６２と第２部分１６３との境界部１６５において上に凸に屈曲している。
ここで、境界部１６５とは、第１部分１６２における第２部分１６３側の端部から、第２部分１６３における第１部分１６２側の端部にかけての部分（第１部分１６２の後端部から第２部分１６３の前端部にかけての部分）である。
揺動部１６０は、軸受部１７５に軸受けされる軸部１６４と、操作部２０の押下部２１から押下力を受ける力点部１６１と、操作部２０が押し下げられていない通常状態で軸支部９１から斜め上後方に延びる第１部分１６２と、通常状態で第１部分１６２よりも緩い傾斜角度で第１部分１６２の後端から後方に延びる第２部分１６３と、を有する。
より詳細には、揺動部１６０は、平面視において環状に形成されており、左右対称に形成されている。したがって、揺動部１６０は、左右一対の第１部分１６２と左右一対の第２部分１６３とを有している。したがって、揺動部１６０は、左右一対の境界部１６５を有している。
ここで、上記のように、ヘッド部３０は、軸心が上記一方向に延在する筒状部（外筒部３２）を有する。そして、揺動部１６０は、当該液剤吐出容器１００を上記一方向に視たときに筒状部（外筒部３２）を囲む環状に形成されている。
図４及び図５に示すように、力点部１６１は、例えば、丸棒状に形成されており、左右に延在している。また、軸部１６４も丸棒状に形成されており、左右に延在している。
また、第１部分１６２及び第２部分１６３もそれぞれ棒状に形成されている。
すなわち、本実施形態の場合、揺動部１６０は、環状の棒状に形成されている。
【００４１】
また、作用部は、揺動部１６０の境界部１６５の下面である作用面１６５ａと、ヘッド部３０の側面から側方に突出している突起部３３と、により構成されている。
すなわち、作用部は、揺動部１６０の境界部１６５と、ヘッド部３０の筒状部（外筒部３２）の外周面から突出している突起部３３と、により構成されている。
より詳細には、揺動部１６０は、左右一対の作用面１６５ａを有しており、各作用面１６５ａが、それぞれ対応する突起部３３の上に載っている。そして、作用部は、作用面１６５ａと突起部３３とにより構成されている。
ここで、上記のように、揺動部１６０は、当該液剤吐出容器１００を上記一方向に視たときに外筒部３２を囲む環状に形成されていて、左右一対の境界部１６５を有している。つまり、液剤吐出容器１００は、軸支部９１の軸方向において相互に離間した一対の作用部を有する。
【００４２】
図９（ａ）及び図９（ｂ）に示すように、操作部２０は、当該操作部２０が押し下げられる際に揺動部１６０の力点部１６１（図３）を押し下げる押下部２１と、ガイド部３８（図３）によってガイドされる被ガイド部２４と、ヘッド部３０の上方に位置していて押下操作を受ける操作受部２５と、操作受部２５の下面とヘッド部３０の上面３０ａとの間隙を側方から覆うカバー部（間隙覆い部）２６（図３参照）と、を備えている。
すなわち、操作部２０は、ヘッド部３０を基準として上記一方向に対する反対方向の位置に配置されていて押し込み操作を受ける操作受部２５と、液剤吐出容器１００を軸支部９１の軸方向に視たときに操作受部２５におけるヘッド部３０側の面とヘッド部３０における操作受部２５側の面（上面３０ａ）との間隙を覆うカバー部（間隙覆い部）２６と、を備えている。
【００４３】
操作受部２５の形状は特に限定されないが、本実施形態の場合、操作受部２５は、例えば、操作部２０の上端部に形成された平板状の部分であり、水平に配置される。より詳細には、操作受部２５は、例えば、円板状に形成されている。
カバー部２６は、例えば、半筒状に形成されており、操作受部２５の後側の半部から垂下する状態に設けられている。より詳細には、カバー部２６は、例えば、操作受部２５の半径と同等の半径の半円筒状に形成されているとともに操作受部２５と同軸に配置されており、操作受部２５の後側の周縁部から垂下している。
押下部２１は、例えば、カバー部２６の後部から後方に突出した状態に設けられ、上下に延在している。より詳細には、押下部２１は、当該押下部２１の下部ほど、前後方向寸法が拡大しているとともに、より後方に突出している。
ここで、押込部（押下部２１）は上記一方向に対して直交していて上記一方向を向く面（下面２１ａ）を有し、当該面（下面２１ａ）で力点部１６１を押し込むようになっている（図３、図１０参照）。
より詳細には、押下部２１は水平な下面２１ａを有し、当該下面２１ａで力点部１６１を押し下げるようになっている（図３、図１０参照）。
これにより、操作部２０を一定速度で押し下げた場合に、ヘッド部３０もほぼ一定速度（ただし操作部２０の下降速度よりも低速）で押し下げられることとなる。よって、泡体を一定の吐出速度で吐出することが可能となる。
【００４４】
被ガイド部２４は、カバー部２６の左右の前部にそれぞれ形成され、上下に直線状に延在している。より詳細には、被ガイド部２４は、例えば、カバー部２６の内面に形成されていて上下に直線状に延在している被ガイド溝２４ａと、被ガイド溝２４ａの前側に隣接していて上下に直線状に延在している被ガイドリブ２４ｂと、を含んで構成されている。被ガイド部２４は、カバー部２６の下端に達している。
【００４５】
左側の被ガイド部２４と左側のガイド部３８とが相互に係合しているとともに、右側の被ガイド部２４と右側のガイド部３８とが相互に係合している。
図３及び図４に示すように、被ガイドリブ２４ｂがガイド溝３８ｃに対して嵌入することによって係合するとともに、被ガイド溝２４ａに第１ガイドリブ３８ａが嵌入することによって係合していることにより、互いに対応する被ガイド部２４とガイド部３８とが係合している。
そして、各被ガイド部２４、ひいては操作部２０の全体は、各ガイド部３８によって上下にガイドされるようになっている。
すなわち、本実施形態の場合、ガイド機構は、操作部２０をヘッド部３０に対して相対的に上下方向にガイドする。
このように、本実施形態の場合、ガイド機構は、ヘッド部３０に形成されたガイド部３８と、間隙覆い部（カバー部２６）に形成されていてガイド部３８にガイドされる被ガイド部２４と、備えて構成されている。
各被ガイド部２４は、操作部２０が押し下げられる際に、対応するガイド部３８に沿って摺動する。
なお、操作部２０は、ガイド部３８によって上下に直線状にガイドされるため、操作部２０の天地方向は一定に維持されることとなる。
【００４６】
ここで、操作部２０の押し込み方向と、ガイド機構による操作部２０のガイド方向と、が互いに同方向であり、ガイド機構は、ヘッド部３０が有するガイド部３８と、ガイド部３８にガイドされる被ガイド部２４であって操作部２０が有する被ガイド部２４と、を含み、ガイド部３８は、被ガイド部２４において上記一方向において互いに離間する少なくとも２つの部位を上記一方向及び上記一方向に対する反対方向にガイドする。
このような構成のガイド機構によって、操作部２０の姿勢を一定に維持させたまま、操作部２０をヘッド部３０に対して相対的に一方向及びその反対方向にガイドすることができる。
本実施形態の場合、操作部２０の押し下げ方向は下方（詳細には、鉛直下方）であるとともに、ガイド機構による操作部２０のガイド方向も下方（詳細には、鉛直下方）であり、これら方向は互いに同方向である。
上記のように、ガイド機構は、ヘッド部３０が有するガイド部３８と、ガイド部３８にガイドされる被ガイド部２４であって操作部２０が有する被ガイド部２４と、を含んでいる。
そして、ガイド部３８と被ガイド部２４とは、上下方向において所定以上の長さ領域に亘って、相互に嵌合していて、上下方向に相互に摺動可能となっている。このため、ガイド部３８は、被ガイド部２４において互いに上下に離間する少なくとも２つの部位を上下方向にガイドするようになっている。
このような構成のガイド機構によって、操作部２０の天地を一定に維持させたまま、操作部２０をヘッド部３０に対して相対的に上下方向（詳細には、鉛直方向）にガイドすることができる。
なお、ガイド部３８と被ガイド部２４とは一方が他方をガイドする相対的な関係にある。このため、ガイド部３８が被ガイド部２４の少なくとも２つの部位を上下方向にガイドするということは、被ガイド部２４もまたガイド部３８の少なくとも２つの部位を上下方向にガイドすることになる。したがって、上記実施形態に代えて、ヘッド部３０側のガイド部３８が上述した被ガイド部２４と同等の構造となっている一方で、操作部２０側の被ガイド部２４が上述したガイド部３８と同等の構造となっていてもよいのは勿論である。この点は、他の実施形態についても同様であり、又、本明細書で説明する他のガイド機構（ガイド部と被ガイド部により構成される機構）についても同様である。
【００４７】
このように、ガイド部３８は、上記一方向に延在するガイドリブ又はガイド溝（例えば、第１ガイドリブ３８ａ、第２ガイドリブ３８ｂ及びガイド溝３８ｃ）を含み、被ガイド部２４は、上記一方向に延在していてガイドリブ又はガイド溝にガイドされる被ガイド溝又は被ガイドリブ（例えば、被ガイド溝２４ａ及び被ガイドリブ２４ｂ）を含む。
また、ヘッド部３０は、軸心が上記一方向に延在する筒状部（外筒部３２）を有し、筒状部の外周面の複数箇所（例えば２箇所）にそれぞれガイド部３８を有する。
より詳細には、ヘッド部３０は、筒状部（外筒部３２）の軸心を基準として、軸支部９１の軸方向における筒状部の両端部にそれぞれ配置された一対のガイド部３８を有する。
【００４８】
ここで、図３に示すように、通常状態において、揺動部１６０は、軸部１６４が軸受部１７５によって軸支されるとともに、作用面１６５ａが突起部３３によって支えられることにより、図３の姿勢に保たれる。
また、操作部２０は、押下部２１の下面２１ａが揺動部１６０の力点部１６１によって支えられることにより、図３の位置に配置される。この状態で、カバー部２６の下端位置がヘッド部３０の上面３０ａよりも下方に位置するようになっている。これにより、通常状態において、カバー部２６によって、操作受部２５の下面とヘッド部３０の上面３０ａとの間隙が側方及び後方から覆われている。
【００４９】
ここで、図９（ａ）に示すように、カバー部２６において、被ガイド部２４を含む前部は、カバー部２６の後部よりも下方に延びている。また、押下部２１の下端位置（下面２１ａの高さ位置）は、カバー部２６の後部の下端位置と一致している。
これにより、図４に示すように、カバー部２６の前部が揺動部１６０の第２部分１６３と外筒部３２との間に入り込んでいて、第２部分１６３と外筒部３２との接触が抑制されているとともに、揺動部１６０が揺動する際における揺動部１６０の動作のぐらつきが抑制されている。
【００５０】
操作部２０が押下されると、押下部２１の下面２１ａによって力点部１６１が押し下げられることにより、揺動部１６０が軸支部９１を支点として図３において時計回りに揺動する。その際に、作用面１６５ａが突起部３３を押し下げることにより、ヘッド部３０が装着部５２及び第２装着部１７０に対して相対的に押し下げられる（図１０）。
【００５１】
押下部２１の下面２１ａが力点部１６１を押し下げる際に、力点部１６１は、一旦、下面２１ａに対して後方に摺動した後、前方に摺動する。これにより、押下状態において、下面２１ａに対する力点部１６１の前後位置は、例えば図１０に示すように、通常状態（図３）と同等の位置となる。
このように、押込部（押下部２１）と力点部１６１とは、軸支部９１の軸方向に対する交差方向であって且つ上記一方向に対しても交差する方向成分を持つ方向において相対移動可能な状態で、相互に係合している。
より詳細には、押下部２１と力点部１６１とは、軸支部９１の軸方向に対する交差方向であって水平方向成分を持つ方向において相対移動可能な状態で、相互に係合している。
より詳細には、押下部２１と力点部１６１とが相対移動可能な方向は、例えば、軸支部９１の軸方向に対して直交し且つ水平な方向（前後方向）となっている。また、押下部２１の下面２１ａが力点部１６１に載置されることにより、下面２１ａと力点部１６１とが相互に当接している。
【００５２】
なお、押下部２１が力点部１６１を押し下げる際に、作用面１６５ａにおいて突起部３３と接触する部位は、突起部３３に対して摺動する。
ここで、作用面１６５ａにおいて突起部３３と接触する部位は、常に水平に維持されるように、作用面１６５ａの形状（傾斜）が設定されていることが好ましい（図３、図１０参照）。このようにすることにより、揺動部１６０からヘッド部３０に対して伝達される力の損失を抑制できるため、操作部２０の押下に必要な力を抑制できる。
なお、突起部３３の上面には面取り加工が施されていることが好ましい。
【００５３】
また、作用部（作用面１６５ａ及び突起部３３）の配置は、力点部１６１と軸支部９１との間に作用部が位置している限りにおいて、特に限定されない。作用部がこのような配置となっていることにより、操作部２０を押下することによって、テコの原理を利用して、ヘッド部３０を押し下げることができる。
例えば、側面視において、作用部が力点部１６１と軸支部９１とのおよそ中間位置に配置されている場合には、操作部２０を押下することによって、直にヘッド部３０を押下する場合と比べておよそ１／２の大きさの力でヘッド部３０を押し下げることができる。
【００５４】
なお、液剤吐出器付きキャップ５０は、例えば、左右対称に形成されている。
【００５５】
液剤吐出器付きキャップ５０、液剤吐出容器１００及び液剤吐出容器詰め品２００は、以上のように構成されている。
【００５６】
ここで、上記の説明では、液剤吐出容器１００を上記一方向に視たときに、ヘッド部３０の少なくとも一部分が操作部２０によって覆われる点を説明したが、液剤吐出容器１００を上記一方向に視たときに、ヘッド部３０の少なくとも一部分が操作部２０の外形線の内側に位置していればよい。例えば、操作部２０がリング状に形成されていて、液剤吐出容器１００を上記一方向に視たときに、操作部２０の内周の内側にヘッド部３０が位置する（リング形状の操作部２０の開口を介してヘッド部３０を視認できる）ようになっていてもよい。
すなわち、本実施形態に係る液剤吐出容器１００は、以下のようにも定義される。すなわち、本実施形態に係る液剤吐出容器１００は、液剤１５０を貯留する容器本体１０を備える液剤吐出容器１００であって、容器本体１０に装着される装着部５２と、装着部５２に対して一方向及び上記一方向に対する反対方向に移動可能に装着部５２に保持され装着部５２に対して相対的に上記一方向に押し込まれることにより液剤１５０が通過するヘッド部３０と、ヘッド部３０を通過した液剤１５０を吐出する吐出口４１と、上記一方向の成分を持つ方向及びその反対方向に装着部５２に対して相対的に揺動可能に軸支部９１において軸支されているとともに押し込み力を受ける力点部１６１を有する揺動部１６０と、ユーザーの操作により装着部５２に対して相対的に押し込まれる操作部２０であって押し込まれる際に力点部１６１を押し込む押込部（例えば押下部２１）を有する操作部２０と、力点部１６１と軸支部９１との間に位置する作用部（例えば図３に示す作用面１６５ａと突起部３３とにより構成される）であって、力点部１６１が押し込まれることにより揺動部１６０が上記一方向の成分を持つ方向に揺動する際に揺動部１６０からヘッド部３０に対して押し込み力を伝達する作用部と、操作部２０が押し込まれる際に操作部２０の姿勢を維持させつつヘッド部３０に対する操作部２０の相対移動をガイドするガイド機構（例えばガイド部３８と被ガイド部２４とにより構成される）と、を備え、当該液剤吐出容器１００を上記一方向に視たときに、ヘッド部３０の少なくとも一部分が操作部２０の外形線の内側に位置する。
【００５７】
また、上記のように、例えば、操作部２０がリング状に形成されていて、液剤吐出容器１００を上記一方向に視たときに、操作部２０の内周の内側にヘッド部３０が位置するようになっていてもよいため、本実施形態に係る液剤吐出容器１００は、以下のようにも定義される。すなわち、本実施形態に係る液剤吐出容器１００は、液剤１５０を貯留する容器本体１０を備える液剤吐出容器１００であって、容器本体１０に装着される装着部５２と、装着部５２に対して一方向及び上記一方向に対する反対方向に移動可能に装着部５２に保持され装着部５２に対して相対的に上記一方向に押し込まれることにより液剤１５０が通過するヘッド部３０と、ヘッド部３０を通過した液剤１５０を吐出する吐出口４１と、上記一方向の成分を持つ方向及びその反対方向に装着部５２に対して相対的に揺動可能に軸支部９１において軸支されているとともに押し込み力を受ける力点部１６１を有する揺動部１６０と、ユーザーの操作により装着部５２に対して相対的に押し込まれる操作部２０であって押し込まれる際に力点部１６１を押し込む押込部（例えば押下部２１）を有する操作部２０と、力点部１６１と軸支部９１との間に位置する作用部（例えば図３に示す作用面１６５ａと突起部３３とにより構成される）であって、力点部１６１が押し込まれることにより揺動部１６０が上記一方向の成分を持つ方向に揺動する際に揺動部１６０からヘッド部３０に対して押し込み力を伝達する作用部と、操作部２０が押し込まれる際に操作部２０の姿勢を維持させつつヘッド部３０に対する操作部２０の相対移動をガイドするガイド機構（例えばガイド部３８と被ガイド部２４とにより構成される）と、を備え、上記一方向に対する反対方向にヘッド部３０と離間して操作部２０が配置されている。
【００５８】
また、本実施形態に係る液剤吐出容器１００は、以下のようにも定義される。すなわち、本実施形態に係る液剤吐出容器１００は、液剤１５０を貯留する容器本体１０と、容器本体１０に装着される装着部５２と、装着部５２に対して上下動可能に装着部５２に保持され装着部５２に対して相対的に押し下げられることにより液剤１５０が通過するヘッド部３０と、ヘッド部３０を通過した液剤１５０を吐出する吐出口４１と、装着部５２に対して相対的に下向き成分を持つ方向及びその反対方向に揺動可能に軸支部９１において軸支されているとともに押下力を受ける力点部１６１を有する揺動部１６０と、装着部５２に対して相対的に押し下げられる操作部２０であって押し下げられる際に力点部１６１を押し下げる押下部２１を有する操作部２０と、力点部１６１と軸支部９１との間に位置する作用部であって力点部１６１が押し下げられることにより揺動部１６０が下向き成分を持つ方向に揺動する際に揺動部１６０からヘッド部３０に対して押下力を伝達する作用部（例えば図３に示す作用面１６５ａと突起部３３とにより構成される）と、操作部２０が押し下げられる際に操作部２０の姿勢を維持させつつヘッド部３０に対する操作部２０の相対移動をガイドするガイド機構と、を備え、ガイド機構は、ヘッド部３０が有するガイド部３８と、ガイド部３８にガイドされる被ガイド部２４であって操作部２０が有する被ガイド部２４と、を含む。
【００５９】
また、本実施形態に係る液剤吐出容器１００は、以下のようにも定義される。すなわち、本実施形態に係る液剤吐出容器１００は、液剤１５０を貯留する容器本体１０を備える液剤吐出容器１００であって、容器本体１０に装着される装着部５２と、装着部５２に対して一方向及び上記一方向に対する反対方向に移動可能に装着部５２に保持され装着部５２に対して相対的に上記一方向に押し込まれることにより液剤１５０が通過するヘッド部３０と、ヘッド部３０を通過した液剤１５０を吐出する吐出口４１と、上記一方向の成分を持つ方向及びその反対方向に装着部５２に対して相対的に揺動可能に軸支部９１において軸支されているとともに押し込み力を受ける力点部１６１を有する揺動部１６０と、ユーザーの操作により装着部５２に対して相対的に押し込まれる操作部２０であって押し込まれる際に力点部１６１を押し込む押込部（押下部２１）を有する操作部２０と、力点部１６１と軸支部９１との間に位置する作用部であって力点部１６１が押し込まれることにより揺動部１６０が上記一方向の成分を持つ方向に揺動する際に揺動部１６０からヘッド部３０に対して押し込み力を伝達する作用部（例えば図３に示す作用面１６５ａと突起部３３とにより構成される）と、操作部２０が押し込まれる際に操作部２０の姿勢を維持させつつヘッド部３０に対する操作部２０の相対移動をガイドするガイド機構（例えばガイド部３８と被ガイド部２４とにより構成される）と、装着部５２に対して着脱可能に装着される第２装着部１７０と、を備え、揺動部１６０は、第２装着部１７０に対して軸支部９１において軸支されている。
【００６０】
また、本実施形態に係る液剤吐出容器１００は、以下のようにも定義される。すなわち、本実施形態に係る液剤吐出容器１００は、液剤１５０を貯留する容器本体１０を備える液剤吐出容器１００であって、容器本体１０に装着される装着部５２と、装着部５２に対して一方向及び上記一方向に対する反対方向に移動可能に装着部５２に保持され装着部５２に対して相対的に上記一方向に押し込まれることにより液剤１５０が通過するヘッド部３０と、ヘッド部３０を通過した液剤１５０を吐出する吐出口４１と、上記一方向の成分を持つ方向及びその反対方向に装着部５２に対して相対的に揺動可能に軸支部９１において軸支されているとともに押し込み力を受ける力点部１６１を有する揺動部１６０と、ユーザーの操作により装着部５２に対して相対的に押し込まれる操作部２０であって押し込まれる際に力点部１６１を押し込む押込部（押下部２１）を有する操作部２０と、力点部１６１と軸支部９１との間に位置する作用部であって力点部１６１が押し込まれることにより揺動部１６０が上記一方向の成分を持つ方向に揺動する際に揺動部１６０からヘッド部３０に対して押し込み力を伝達する作用部（例えば図３に示す作用面１６５ａと突起部３３とにより構成される）と、操作部２０が押し込まれる際に操作部２０の姿勢を維持させつつヘッド部３０に対する操作部２０の相対移動をガイドするガイド機構（例えばガイド部３８と被ガイド部２４とにより構成される）と、を備え、ヘッド部３０は、軸心が上記一方向に延在する筒状部（外筒部３２）を有し、揺動部１６０は、当該液剤吐出容器１００を上記一方向に視たときに筒状部を囲む環状に形成されており、当該液剤吐出容器１００は、軸支部９１の軸方向において相互に離間した一対の作用部を有する。
【００６１】
また、本実施形態に係る液剤吐出容器１００は、以下のようにも定義される。すなわち、本実施形態に係る液剤吐出容器１００は、液剤１５０を貯留する容器本体１０を備える液剤吐出容器１００であって、容器本体１０に装着される装着部５２と、装着部５２に対して一方向及び上記一方向に対する反対方向に移動可能に装着部５２に保持され装着部５２に対して相対的に上記一方向に押し込まれることにより液剤１５０が通過するヘッド部３０と、ヘッド部３０を通過した液剤１５０を吐出する吐出口４１と、上記一方向の成分を持つ方向及びその反対方向に装着部５２に対して相対的に揺動可能に軸支部９１において軸支されているとともに押し込み力を受ける力点部１６１を有する揺動部１６０と、ユーザーの操作により装着部５２に対して相対的に押し込まれる操作部２０であって押し込まれる際に力点部１６１を押し込む押込部（押下部２１）を有する操作部２０と、力点部１６１と軸支部９１との間に位置する作用部であって力点部１６１が押し込まれることにより揺動部１６０が上記一方向の成分を持つ方向に揺動する際に揺動部１６０からヘッド部３０に対して押し込み力を伝達する作用部（例えば図３に示す作用面１６５ａと突起部３３とにより構成される）と、操作部２０をヘッド部３０に対して相対的に上記一方向及び上記一方向に対する反対方向にガイドするガイド機構（例えばガイド部３８と被ガイド部２４とにより構成される）と、を備え、押込部（押下部２１）と力点部１６１とは、軸支部９１の軸方向に対する交差方向であって且つ上記一方向に対しても交差する方向成分を持つ方向において相対移動可能な状態で、相互に係合している。
また、本実施形態に係る液剤吐出容器１００は、以下のようにも定義される。すなわち、本実施形態に係る液剤吐出容器１００は、液剤１５０を貯留する容器本体１０と、容器本体１０に装着される装着部５２と、装着部５２に対して上下動可能に装着部５２に保持され、装着部５２に対して相対的に押し下げられることにより液剤１５０が通過するヘッド部３０と、ヘッド部３０を通過した液剤１５０を吐出する吐出口４１と、装着部５２に対して相対的に下向き成分を持つ方向及びその反対方向に揺動可能に軸支部９１において軸支されているとともに、押下力を受ける力点部１６１を有する揺動部１６０と、装着部５２に対して相対的に押し下げられる操作部２０であって、押し下げられる際に力点部１６１を押し下げる押下部２１を有する操作部２０と、力点部１６１と軸支部９１との間に位置する作用部であって、力点部１６１が押し下げられることにより揺動部１６０が下向き成分を持つ方向に揺動する際に、揺動部１６０からヘッド部３０に対して押下力を伝達する作用部（例えば図３に示す作用面１６５ａと突起部３３とにより構成される）と、操作部２０をヘッド部３０に対して相対的に上下方向にガイドするガイド機構（例えばガイド部３８と被ガイド部２４とにより構成される）と、を備え、押下部２１と力点部１６１とは、軸支部９１の軸方向に対して交差しているとともに水平方向成分を持つ方向において相対移動可能な状態で、相互に係合している。
【００６２】
次に、動作を説明する。
【００６３】
液剤吐出容器１００から泡体を吐出するためには、操作部２０に対して押下操作を行う。これにより、揺動部１６０を介してヘッド部３０が押下され、ヘッド部３０はバネ体５８の付勢に抗して押し下げられる。ヘッド部３０が押し下げられることにより、ノズル部４０の吐出口４１から泡体が吐出される。
【００６４】
ここで、操作部２０が押し下げられる際に、操作部２０はガイド機構（ガイド部３８及び被ガイド部２４）によって、下方にガイドされる。よって、操作部２０は、押し下げられる際に、一定の姿勢に維持される。すなわち、操作部２０の天地方向が一定に維持されて、操作受部２５は水平に維持される。よって、ヘッド部３０を直に押し下げるタイプの液剤吐出容器と同等の操作感を実現することができる。
【００６５】
また、操作部２０を押下する力を解除すると、ヘッド部３０はバネ体５８の付勢に従って、通常状態の位置まで上昇する。この際に、突起部３３が作用面１６５ａを押し上げることにより、揺動部１６０は軸支部９１を支点として装着部５２に対して相対的に揺動（図３において反時計回りに揺動）する。このため、力点部１６１によって操作部２０が持ち上げられるが、その際、操作部２０は、ガイド機構によって、上方にガイドされる。よって、操作部２０は、押し上げられる際にも一定の姿勢に維持され、操作受部２５は水平に維持される。
【００６６】
以上のような実施形態によれば、液剤吐出容器１００は、液剤１５０を貯留する容器本体１０を備える液剤吐出容器１００であって、容器本体１０に装着される装着部５２と、装着部５２に対して一方向及び上記一方向に対する反対方向に移動可能に装着部５２に保持され装着部５２に対して相対的に上記一方向に押し込まれることにより液剤１５０が通過するヘッド部３０と、ヘッド部３０を通過した液剤１５０を吐出する吐出口４１と、上記一方向の成分を持つ方向及びその反対方向に装着部５２に対して相対的に揺動可能に軸支部９１において軸支されているとともに押し込み力を受ける力点部１６１を有する揺動部１６０と、ユーザーの操作により装着部５２に対して相対的に押し込まれる操作部２０であって押し込まれる際に力点部１６１を押し込む押込部（押下部２１）を有する操作部２０と、力点部１６１と軸支部９１との間に位置する作用部であって力点部１６１が押し込まれることにより揺動部１６０が上記一方向の成分を持つ方向に揺動する際に揺動部１６０からヘッド部３０に対して押し込み力を伝達する作用部と、を備える。
より詳細には、液剤吐出容器１００は、液剤１５０を貯留する容器本体１０と、容器本体１０に装着される装着部５２と、装着部５２に対して上下動可能に装着部５２に保持され装着部５２に対して相対的に押し下げられることにより液剤１５０が通過するヘッド部３０と、ヘッド部３０を通過した液剤１５０を吐出する吐出口４１と、装着部５２に対して相対的に下向き成分を持つ方向及びその反対方向に揺動可能に軸支部９１において軸支されているとともに押下力を受ける力点部１６１を有する揺動部１６０と、装着部５２に対して相対的に押し下げられる操作部２０であって押し下げられる際に力点部１６１を押し下げる押下部２１を有する操作部２０と、力点部１６１と軸支部９１との間に位置する作用部であって力点部１６１が押し下げられることにより揺動部１６０が下向き成分を持つ方向に揺動する際に揺動部１６０からヘッド部３０に対して押下力を伝達する作用部と、を備える。
これにより、テコの原理を利用してヘッド部を押し込む（例えば押し下げる）ことができる。
１回の吐出操作により吐出される液剤１５０の容量が比較的多いタイプの液剤吐出容器１００においても、十分に軽い力で操作部２０を押し込む（例えば押下する）ことによって、ヘッド部３０を押し込む（例えば押し下げる）ことができる。
また、本実施形態のように液剤１５０を泡体として吐出するタイプの液剤吐出容器１００では、液剤１５０をそのままの状態で吐出するタイプの液剤吐出容器と比べて液剤１５０の吐出のためのヘッド部３０の押し圧が大きくなるが、十分に軽い力で操作部２０を押し込む（例えば押下する）ことによって、ヘッド部３０を押し込む（例えば押し下げる）ことが可能である。
また、液剤１５０の粘度が標準的なものよりも高粘度の場合であっても、十分軽い力で操作部２０を押し込む（例えば押下する）ことによって、ヘッド部３０を押し込む（押し下げる）ことができる。
【００６７】
そして、液剤吐出容器１００は、更に、操作部２０が押し込まれる際に操作部２０の姿勢を維持させつつヘッド部３０に対する操作部２０の相対移動をガイドするガイド機構を備えている。
より詳細には、液剤吐出容器１００は、更に、操作部２０が押し下げられる際に操作部２０の姿勢を維持させつつヘッド部３０に対する操作部２０の相対移動をガイドするガイド機構を備えている。
これにより、操作部２０を押し込む（例えば押し下げる）際における操作部２０の姿勢の変化を抑制できるため、ヘッド部３０を直に押し下げるタイプの液剤吐出容器に近い操作感を実現することができる。
【００６８】
更に、液剤吐出容器１００を上記一方向に視たときに、ヘッド部３０の少なくとも一部分が操作部２０によって覆われる（より詳細には、平面視において、ヘッド部３０の少なくとも一部分が操作部２０によって覆われる）。
換言すれば、操作部２０を基準として、ユーザーによる操作部２０の押し込み方向側の位置で、且つ、装着部５２に対するヘッド部３０の押し込み方向側の位置に、ヘッド部３０が配置されている。このため、操作部２０に対する押し込み力を、揺動部１６０を介して効率的にヘッド部３０に伝達して、ヘッド部３０を装着部５２側に押し込むことができるとともに、押し込み操作の際における液剤吐出容器１００のブレも抑制できるため、押し込み操作を安定的に行うことができる。
例えば液剤吐出容器１００を水平な載置面に載置した状態で操作部２０を押し込む（押し下げる）場合には容器本体１０が転倒することが抑制されるし、液剤吐出容器１００の使用時における配置（向き）にかかわらず、液剤吐出容器１００の各部の撓み、変形及びブレを抑制できるため、押し込み力をヘッド部３０に対して効率的に伝達することができる。
しかも、操作部２０とヘッド部３０とが上記一方向において並んで配置されていることから、液剤吐出容器１００をコンパクトに構成することができる。
【００６９】
より詳細には、ガイド機構は、操作部２０をヘッド部３０に対して相対的に上記一方向及び上記一方向に対する反対方向にガイドするので、操作部２０が押し込まれる際における操作部２０の姿勢を一定に維持させることができる。
更に詳細には、ガイド機構は、操作部２０をヘッド部３０に対して相対的に上下方向にガイドするので、操作部２０が押し下げられる際における操作部２０の姿勢を一定に維持させることができる。よって、ヘッド部３０を直に押し下げるタイプの液剤吐出容器と同等の操作感を実現できる。
また、操作部２０は容器本体１０の上方に配置されており、かつ平面視において操作部２０の少なくとも一部分が容器本体１０と重なっている。これにより、液剤吐出容器１００を水平な載置面に載置した状態で操作部２０を押し下げる際に容器本体１０が転倒することが抑制されるため、押し下げ操作を容易に行うことができる。より詳細には、操作部２０の操作受部２５の全体が、平面視において容器本体１０の底部１４の内側に内包される位置および大きさに形成されている。これにより、操作受部２５における何れの部位が押し下げ力を受けても、容器本体１０が転倒することが抑制される。
【００７０】
また、ガイド機構は、ヘッド部３０が有するガイド部３８と、ガイド部３８にガイドされる被ガイド部２４であって操作部２０が有する被ガイド部２４と、を含む。これにより、液剤吐出容器１００をよりコンパクトに構成できるとともに、液剤吐出容器１００の各部の撓み、変形及びブレをより一層抑制しつつ、押し込み力を操作部２０から揺動部１６０を介してヘッド部３０に効率的に伝達することができる。これにより、容器本体１０の転倒などをより好適に抑制できる。
【００７１】
また、液剤吐出容器１００は、装着部５２に対して着脱可能に装着される第２装着部１７０を備え、揺動部１６０は、第２装着部１７０に対して軸支部９１において軸支されている。
揺動部１６０を軸支する第２装着部１７０が装着部５２に対して着脱可能であるため、液剤吐出容器１００における第２装着部１７０とそれ以外の部分とを別個に製造すれば良いため、液剤吐出容器１００の製造容易性が向上する。
【００７２】
また、ヘッド部３０は、軸心が上記一方向に延在する筒状部（外筒部３２）を有し、揺動部１６０は、液剤吐出容器１００を上記一方向に視たときに筒状部を囲む環状に形成されており、当該液剤吐出容器１００は、軸支部９１の軸方向において相互に離間した一対の作用部を有する。よって、一対の作用部によって、揺動部１６０からヘッド部３０に対して、バランス良く安定的に押し込み力を伝達することができる。
【００７３】
また、液剤吐出容器１００を軸支部９１の軸方向に視たときに、揺動部１６０は、軸支部９１から上記一方向に対する反対方向の成分を持つ方向且つ力点部１６１側に延びる第１部分１６２と、第１部分１６２における力点部１６１側の端部から力点部１６１に向けて延びる第２部分１６３と、を有し、第１部分１６２と第２部分１６３との境界部１６５において上記一方向に対する反対方向に凸に屈曲している。このような構成により、操作部２０及びヘッド部３０が押し込まれた後、揺動部１６０を上記一方向に押し戻す力をヘッド部３０から揺動部１６０に伝達する際に、その力をスムーズに伝達することができる。
【００７４】
〔第２の実施形態〕
次に、図１１から図１４を用いて第２の実施形態を説明する。
本実施形態に係る液剤吐出器付きキャップ５０は、以下に説明する点で、上記の第１の実施形態に係る液剤吐出器付きキャップ５０と相違し、その他の点では、上記の第１の実施形態に係る液剤吐出器付きキャップ５０と同様に構成されている。
図１１から図１４の各図に示す状態は、操作部２０及びヘッド部３０が押し下げられていない通常時の状態（通常状態）である。
図１１及び図１４における左方向が前方、図１１及び図１４における右方向が後方であるものとし、図１１及び図１４における紙面の奥側方向が左方、図１１及び図１４における紙面の手前側方向が右方であるものとする。
【００７５】
本実施形態の場合、押下部２１は、カバー部２６の後壁面の前面から前方に向けて立設されており、カバー部２６の内側に押下部２１が配置されている。そして、カバー部２６の下端部２６ａの内側に、押下部２１の下面２１ａと力点部１６１とが配置されており、側面視において、力点部１６１及び下面２１ａがカバー部２６の下端部２６ａにより覆われている。
すなわち、操作部２０は、力点部１６１を側方から覆う力点覆い部（カバー部２６の下端部２６ａ）を有している。
換言すれば、操作部２０は、液剤吐出容器１００を軸支部９１の軸方向に視たときに力点部１６１を覆う力点覆い部（カバー部２６の下端部２６ａ）を有している。
これにより、押下部２１と力点部１６１との間などにおいて指を挟んでしまうことが抑制されている。
【００７６】
更に、カバー部２６の下端部２６ａの内側に、揺動部１６０の第２部分１６３が配置されている。
なお、カバー部２６は、例えば、内腔領域が下方に向けて広がるような裾広がりの形状に形成されている。これにより、カバー部２６の下端部２６ａによって力点部１６１及び第２部分１６３を容易に覆うことが可能となっている。
【００７７】
また、本実施形態の場合、突起部３３は、外筒部３２の円筒状の外周面から側方に突出している。
そして、突起部３３の前側にガイド部３８が配置されている。本実施形態の場合、ガイド部３８は、図１２及び図１３に示すように、外筒部３２の側方において上下に直線状に延在しているガイド柱３８ｅと、外筒部３２の側面に形成されているとともにガイド柱３８ｅを支持している支持部３８ｄと、を含んで構成されている。支持部３８ｄは、ガイド柱３８ｅの下部を支持しており、ガイド柱３８ｅは、支持部３８ｄの上端よりも上方に突出している。なお、ガイド柱３８ｅの下端の高さ位置は、例えば、支持部３８ｄの下端の高さ位置と揃っている。
支持部３８ｄは、ガイド柱３８ｅの上部と外筒部３２の側面との間に所定の間隙を介在させるためのスペーサとしての機能も兼ねており、図１２に示すように、ガイド柱３８ｅの上部と外筒部３２の側面との間の間隙を介して、揺動部１６０の左右両側部が前側から後側に通されている。
また、本実施形態の場合、被ガイド部２４は、上下に直線状に延在する一本の被ガイド溝２４ａにより構成されている。被ガイド溝２４ａの下端は、カバー部２６の下端に達している。
被ガイド溝２４ａにガイド柱３８ｅが嵌入することにより、被ガイド部２４がガイド部３８と係合しており、ガイド部３８のガイド柱３８ｅに沿って被ガイド部２４が上下に摺動可能となっている。
なお、本実施形態の場合も、液剤吐出器付きキャップ５０は、左右一対のガイド部３８と、左右一対の被ガイド部２４と、を有している。
【００７８】
更に、ヘッド部３０の外筒部３２の後面には、第２ガイド部３９が、押下部２１の前面には、第２ガイド部３９によって上下にガイドされる第２被ガイド部２９が、それぞれ形成されている。
より詳細には、第２被ガイド部２９は、上下に直線状に延在する蟻溝状（溝の奥部ほど幅広の溝形状）に形成されており、第２ガイド部３９は、第２被ガイド部２９に嵌入する形状に形成されているとともに上下に直線状に延在しているリブ（蟻ほぞ状のリブ）である。
第２ガイド部３９は、第２被ガイド部２９に対して嵌合しており、第２ガイド部３９に沿って第２被ガイド部２９が上下に摺動可能となっている。
なお、押下部２１の下面２１ａの前側には、下面２１ａよりも下に延びる前方移動規制部２７が、押下部２１と一体的に形成されている。この前方移動規制部２７によって、前方への力点部１６１の移動が規制されている。そして、第２被ガイド部２９は、前方移動規制部２７の下端まで達している。
【００７９】
なお、本実施形態に係る液剤吐出容器は、全体の図示は省略するが、本実施形態に係る液剤吐出器付きキャップ５０と、上記の第１の実施形態と同様の容器本体１０（図１参照）と、を備えて構成されている。
また、本実施形態に係る液剤吐出容器詰め品は、全体の図示は省略するが、本実施形態に係る液剤吐出容器と、容器本体１０に充填された液剤と、を備えて構成されている。
【００８０】
本実施形態の場合、左右一対のガイド部３８によって左右一対の被ガイド部２４がそれぞれ上下にガイドされるだけでなく、第２ガイド部３９によって第２被ガイド部２９が上下にガイドされるため、より安定的に操作部２０を上下にガイドすることができる。
本実施形態によれば、その他、第１の実施形態と同様の効果が得られる。
【００８１】
〔第３の実施形態〕
次に、図１５を用いて第３の実施形態を説明する。本実施形態に係る液剤吐出器付きキャップ５０は、以下に説明する点で、上記の第１の実施形態に係る液剤吐出器付きキャップ５０と相違する。なお、本実施形態に係る液剤吐出器付きキャップ５０において、上記の第１の実施形態に係る液剤吐出器付きキャップ５０と同様の構成についての説明は、適宜に省略する。
【００８２】
本実施形態の場合、液剤吐出器付きキャップ５０は、第２装着部１７０を有していない代わりに、装着部５２の前部上面から立設された左右一対の柱状の支持部５４を備えている（右側の支持部５４は不図示）。
【００８３】
また、液剤吐出器付きキャップ５０は、揺動部１６０（図３）を有していない代わりに、左右一対の揺動部６０を備えている（右側の揺動部６０は不図示）。
左側の揺動部６０の一端部は、左側の支持部５４に対して軸支部９１において軸支されており、同様に、右側の揺動部６０の一端部は、右側の支持部５４に対して軸支部９１（右側の軸支部９１は不図示）において軸支されている。左右の軸支部９１は、互いに同軸に配置されている。
軸支部９１の具体的な構造は特に限定されないが、例えば、支持部５４と揺動部６０とにそれぞれ形成された丸孔に対して軸支ピンが挿通されることによって、揺動部６０が支持部５４に軸支されていることが挙げられる。
【００８４】
また、本実施形態の場合、操作部２０は、平板状の操作受部２５と、操作受部２５の左右両端部にそれぞれ固定されているとともに、操作受部２５から下方に延出している左右一対の支持柱部７０を備えている（右側の支持柱部７０は不図示）。
左側の揺動部６０の他端部は、左側の支持柱部７０の一端部に対して第２軸支部９２において軸支されている。ここで、第２軸支部９２は、例えば、支持柱部７０の後述する第１部分７１に形成された軸支ピン７６と、揺動部６０の後述する第２部分６２に形成された軸支孔１６１ａと、を含んでおり、軸支孔１６１ａに軸支ピン７６が挿通されることによって、揺動部６０が支持柱部７０に軸支されている。
同様に、右側の揺動部６０の他端部は、右側の支持柱部７０の一端部に対して第２軸支部９２において軸支されている（右側の第２軸支部９２は不図示）。
左右の第２軸支部９２は、互いに同軸に配置されている。更に、軸支部９１と第２軸支部９２とは互いに平行に配置されている。
容器本体１０に液剤吐出器付きキャップ５０が装着され、且つ、容器本体１０が水平な載置面上に配置された状態で、軸支部９１及び第２軸支部９２は、例えば、それぞれ水平に配置されるようになっている。
【００８５】
ここで、揺動部６０は、例えば棒状に形成されている。より詳細には、例えば、揺動部６０は、それぞれ棒状に形成されている第１部分６１及び第２部分６２を含んで構成されている。
第１部分６１の一端部は、軸支部９１にて支持部５４に軸支され、第１部分６１の他端部は第２部分６２の一端部に連結されている。第２部分６２の他端部は、第２軸支部９２にて支持柱部７０に軸支されている。
【００８６】
なお、本実施形態の場合、第２部分６２の他端部によって力点部１６１が構成されており、力点部１６１に軸支孔１６１ａが形成されている。また、操作部２０の押下部は、第１部分７１の下端部に形成された軸支ピン７６によって構成されている。すなわち、揺動部６０が操作部２０に対して相対的に揺動可能に、力点部１６１が押込部（押下部）（軸支ピン７６）に軸支されている。
【００８７】
第１部分６１及び第２部分６２は、それぞれ軸支部９１及び第２軸支部９２に対して直交する面内において延在している。
揺動部６０は、通常状態において、軸支部９１を起点として第２軸支部９２に向かって後方斜め上方に延伸する姿勢となるようになっている。
一方、押下状態では、第２軸支部９２が押し下げられ、例えば、揺動部６０は軸支部９１を起点として後方に延伸する姿勢となるようになっている。
【００８８】
本実施形態の場合、作用部は、軸支部９１と第２軸支部９２との間において揺動部６０の下面に形成された作用面６３と、外筒部３２の側面から側方に突出している突起部３３と、により構成されている。液剤吐出器付きキャップ５０は、左右一対の作用部を備えている。
各作用面６３は、対応する突起部３３の上に載せられており、揺動部６０が軸支部９１を支点として第２軸支部９２が下がる方向に揺動することにより、突起部３３を押し下げる。この際に、作用面６３は突起部３３に対して摺動する。
【００８９】
作用面６３は、揺動部６０の揺動角度が第１角度のとき（例えば通常状態）と、この揺動角度が第１角度とは異なる第２角度のとき（通常状態よりも押下状態に近く且つ押下状態よりも通常状態に近い状態（不図示））と、の各々において、作用面６３における突起部３３との接触部位が装着部５２に対するヘッド部３０の移動方向（例えば下方）に対して直交する（例えば水平となる）曲面形状に形成されている。
これにより、揺動部６０からヘッド部３０に対して伝達される力の損失を抑制できるため、操作部２０の押下に必要な力を抑制できる。
より好ましくは、作用面６３は、突起部３３に対して常に水平面で接触するようになっている。
【００９０】
また、支持柱部７０は、例えば、棒状の第１部分７１と、第１部分７１に対して交差する方向に延びている第２部分７２と、を含んで構成されている。第１部分７１及び第２部分７２は、それぞれ第２軸支部９２に対して直交する面内において延在している。第１部分７１と第２部分７２とは、側面視においてＶ字状に交差している。
各揺動部６０の第２部分６２の他端部は、各支持柱部７０の一端部（例えば下端部）である第１部分７１の一端部（例えば下端部）に対してそれぞれ第２軸支部９２にて軸支されている。
第１部分７１と第２部分７２とは一端部どうしを共有している。
また、第２部分７２の他端部は、第１部分７１の延在経路から外れた位置に配置されている。より詳細には、第２部分７２の他端部は、第１部分７１の両端を通る直線の下側に配置されている。
【００９１】
また、各支持柱部７０の他端部である第１部分７１の他端部は、操作受部２５の側部に対して、固定部９５において固定されている。したがって、操作受部２５は支持柱部７０と一体に設けられている。
例えば、操作部２０の左右両側部からは、断面非円形（例えばＤカット形状）の突起がそれぞれ側方に突出しており、これら突起が、第１部分７１の他端部に形成された断面非円形（例えばＤカット形状）の嵌入孔に対してそれぞれ嵌入することによって、操作部２０と第１部分７１とが相互に固定されている。
【００９２】
本実施形態の場合、ガイド機構は、ヘッド部３０の側面に形成されているガイド溝（ガイド部）１１１と、支持柱部７０の第２部分７２の他端部に形成されている被ガイド突起（被ガイド部）７３と、を含んで構成されている。
より詳細には、液剤吐出器付きキャップ５０は、支持柱部７０の各々と対応する左右一対のガイド機構を備えている（右側のガイド機構は不図示）。
左側のガイド機構は、ヘッド本体部３１の左側面に形成されたガイド溝１１１と、左側の支持柱部７０の第２部分７２の他端部から右方に向けて突出している被ガイド突起７３と、を含んで構成されている。
同様に、右側のガイド機構は、ヘッド本体部３１の右側面に形成されたガイド溝１１１と、右側の支持柱部７０の第２部分７２の他端部から左方に向けて突出している被ガイド突起７３と、を含んで構成されている。
各ガイド溝１１１は、例えば、後方に向けて下り傾斜しているとともに後方斜め上に向けて凸の弧状（例えば螺旋円弧状）に形成されている。なお、各ガイド溝１１１は、軸支部９１及び第２軸支部９２に対して直交する面内において延在している。
各ガイド溝１１１には、それぞれ対応する被ガイド突起７３が嵌め込まれている。各被ガイド突起７３は、操作部２０が押し下げられる際に、対応するガイド溝１１１によりガイドされて、該ガイド溝１１１に沿って摺動する。よって、本実施形態の場合、ガイド機構は、操作部２０を弧状の経路でガイドする。
なお、ここで説明した例とは逆に、ガイド溝１１１が支持柱部７０に形成されているとともに、被ガイド突起７３がヘッド本体部３１に形成されていても良い。
【００９３】
ここで、通常状態において、揺動部６０は、その一端部が軸支部９１によって支えられるとともに、作用面６３において突起部３３によって支えられることにより、一定の姿勢（軸支部９１を起点として第２軸支部９２に向かって後方斜め上方に延伸する姿勢）に維持される。
また、通常状態において、支持柱部７０は、その一端部が第２軸支部９２において揺動部６０によって支えられるとともに、被ガイド突起７３がガイド溝１１１によって支えられることにより、一定の姿勢に維持される。より詳細には、第１部分７１は、第２軸支部９２を起点として固定部９５に向かって前方斜め上方に延伸する姿勢となり、第２部分７２は、第１部分７１よりも水平に近い姿勢で、第２軸支部９２を起点として前方斜め上方に延伸する姿勢となる。
【００９４】
操作部２０を押下すると、操作部２０と一体に支持柱部７０が下方に移動する。この際に、第２軸支部９２は軸支部９１を中心とする弧状に下方に向けて移動し、被ガイド突起７３はガイド溝１１１に沿って下方に向けて弧状に（螺旋円弧状に）ガイドされる。
このため、操作部２０を押下する際には、揺動部６０は、軸支部９１を支点として装着部５２に対して相対的に揺動（図１５において時計回りに揺動）する。
【００９５】
ここで、操作部２０が押し下げられる際に支持柱部７０の傾斜角度が一定に維持されるように、ガイド部（ガイド溝１１１）の形状が設定されている。
より詳細には、例えば、上記のように軸支部９１の軸及び第２軸支部９２の軸がそれぞれ水平且つ互いに平行に配置されているとともに、操作部２０が押し下げられる際に、水平方向における第２軸支部９２の移動距離Ｌ１（図１５）と、水平方向における被ガイド部（被ガイド突起７３）の移動距離Ｌ２（図１５）と、が互いに等しく、下方への第２軸支部９２の移動距離Ｌ３（図１５）が、下方へのヘッド部３０の移動距離Ｌ４（図１５）とガイド部に対して相対的に下方への被ガイド部の移動距離Ｌ５（図１５）との和に等しくなるように、ガイド部（ガイド溝１１１）の形状が設定されている。
【００９６】
操作部２０が押し下げられる際に、揺動部６０は軸支部９１を支点として装着部５２に対して相対的に時計回りに揺動するのに対して、支持柱部７０は第２軸支部９２を支点として揺動部６０に対して相対的に反時計回りに揺動する。
つまり、ガイド機構は、操作部２０が押し下げられる際に、揺動部６０に対する支持柱部７０の揺動方向を、装着部５２に対する揺動部６０の揺動による操作部２０の姿勢変化を相殺する方向に規制する。
ただし、操作部２０が押し下げられる際に、支持柱部７０は、装着部５２に対しては、揺動せずに相対的に下方に移動する。
【００９７】
なお、ガイド溝１１１は、外筒部３２の側部に形成されていても良いが、本実施形態の場合、ヘッド本体部３１は、外筒部３２から左右両側方に張り出しているとともに外筒部３２よりも後方に突出した形状のガイド形成部１１０を外筒部３２と一体に有しており、ガイド溝１１１はガイド形成部１１０の側面に形成されている。
ガイド形成部１１０は、側面視において弧状（螺旋円弧状）に形成されており、ガイド溝１１１は、側面視においてガイド形成部１１０が延在する方向に沿って延在している。
【００９８】
本実施形態の場合も、液剤吐出器付きキャップ５０は、例えば、左右対称に形成されている。
【００９９】
なお、本実施形態に係る液剤吐出容器は、全体の図示は省略するが、本実施形態に係る液剤吐出器付きキャップ５０と、上記の第１の実施形態と同様の容器本体１０（図１参照）と、を備えて構成されている。
また、本実施形態に係る液剤吐出容器詰め品は、全体の図示は省略するが、本実施形態に係る液剤吐出容器と、容器本体１０に充填された液剤と、を備えて構成されている。
【０１００】
ここで、本実施形態に係る液剤吐出容器１００は、以下のようにも定義される。すなわち、液剤吐出容器１００は、液剤１５０を貯留する容器本体１０を備える液剤吐出容器１００であって、容器本体１０に装着される装着部５２と、装着部５２に対して一方向及び上記一方向に対する反対方向に移動可能に装着部５２に保持され装着部５２に対して相対的に上記一方向に押し込まれることにより液剤１５０が通過するヘッド部３０と、ヘッド部３０を通過した液剤１５０を吐出する吐出口４１と、上記一方向の成分を持つ方向及びその反対方向に装着部５２に対して相対的に揺動可能に軸支部９１において軸支されているとともに押し込み力を受ける力点部１６１を有する揺動部６０と、ユーザーの操作により装着部５２に対して相対的に押し込まれる操作部２０であって押し込まれる際に力点部１６１を押し込む押込部（軸支ピン７６）を有する操作部２０と、力点部１６１と軸支部９１との間に位置する作用部（作用面６３及び突起部３３）であって力点部１６１が押し込まれることにより揺動部６０が上記一方向の成分を持つ方向に揺動する際に揺動部６０からヘッド部３０に対して押し込み力を伝達する作用部と、操作部２０を弧状の経路でガイドするガイド機構（ガイド溝１１１及び被ガイド突起７３）と、を備え、揺動部６０が操作部２０に対して相対的に揺動可能に、力点部１６１が押込部（軸支ピン７６）に軸支されている。
また、本実施形態に係る液剤吐出容器１００は、以下のようにも定義される。すなわち、液剤吐出容器１００は、液剤１５０を貯留する容器本体１０と、容器本体１０に装着される装着部５２と、装着部５２に対して上下動可能に装着部５２に保持され、装着部５２に対して相対的に押し下げられることにより液剤１５０が通過するヘッド部３０と、ヘッド部３０を通過した液剤１５０を吐出する吐出口４１と、装着部５２に対して相対的に下向き成分を持つ方向及びその反対方向に揺動可能に軸支部９１において軸支されているとともに、押下力を受ける力点部１６１を有する揺動部６０と、装着部５２に対して相対的に押し下げられる操作部２０であって、押し下げられる際に力点部１６１を押し下げる押下部（軸支ピン７６）を有する操作部２０と、力点部１６１と軸支部９１との間に位置する作用部（作用面６３及び突起部３３）であって、力点部１６１が押し下げられることにより揺動部６０が下向き成分を持つ方向に揺動する際に、揺動部６０からヘッド部３０に対して押下力を伝達する作用部と、操作部２０を弧状の経路でガイドするガイド機構（ガイド溝１１１及び被ガイド突起７３）と、を備え、揺動部６０が操作部２０に対して相対的に揺動可能に、力点部１６１が押下部（軸支ピン７６）に軸支されている。
【０１０１】
次に、動作を説明する。
【０１０２】
液剤吐出容器１００から泡体を吐出するためには、操作部２０に対して押下操作を行う。これにより、揺動部６０を介してヘッド部３０が押下され、ヘッド部３０はバネ体５８の付勢に抗して押し下げられる。ヘッド部３０が押し下げられることにより、ノズル部４０の吐出口４１から泡体が吐出される。
【０１０３】
ここで、操作部２０が押し下げられる際に、被ガイド突起７３はガイド溝１１１に沿って下方に向けて螺旋円弧状にガイドされ、且つ、第２軸支部９２は軸支部９１を中心とする弧状に下方に向けて移動する。したがって、揺動部６０は軸支部９１を支点として装着部５２に対して相対的に揺動（図３において時計回りに揺動）する。この際に、突起部３３が揺動部６０の作用面６３により下方に押し下げられるので、ヘッド部３０が下降する。
このとき、ガイド溝１１１が被ガイド突起７３の移動方向を規制することによって、操作部２０の姿勢が維持される。より詳細には、揺動部６０に対する支持柱部７０の揺動方向が、装着部５２に対する揺動部６０の揺動による操作部２０の姿勢変化を相殺する方向に規制される。その結果、支持柱部７０の傾斜角度が一定に維持され、操作部２０は水平に維持される。
すなわち、本実施形態の場合も、ガイド機構は、操作部２０が押し下げられる際に、操作部２０の姿勢を維持させつつヘッド部３０に対する操作部２０の相対移動をガイドする。
本実施形態の場合も、テコの原理を利用してヘッド部を押し下げることができるとともに、ヘッド部３０を直に押し下げるタイプの液剤吐出容器に近い操作感を実現することができる。
【０１０４】
また、操作部２０を押下する力を解除すると、ヘッド部３０はバネ体５８の付勢に従って、通常状態の位置まで上昇する。この際に、突起部３３が作用面６３を押し上げることにより、揺動部６０は軸支部９１を支点として装着部５２に対して相対的に揺動（図３において反時計回りに揺動）するため、第２軸支部９２は軸支部９１を中心とする弧状に上方に向けて移動する。よって、操作部２０が持ち上げられるが、その際に、被ガイド突起７３がガイド溝１１１によってガイドされることにより、支持柱部７０の傾斜角度が一定に維持される。よって、操作部２０は水平に維持されたまま、通常状態の位置まで復帰（上昇）する。
【０１０５】
〔第４の実施形態〕
次に、図１６（ａ）及び図１６（ｂ）を用いて第４の実施形態を説明する。
本実施形態では、液剤吐出器用アタッチメントについて説明する。
本実施形態に係る液剤吐出器用アタッチメントは、以下に説明する点で、上記の第１の実施形態に係る液剤吐出器付きキャップ５０と相違し、その他の点では、上記の第１の実施形態に係る液剤吐出器付きキャップ５０と同様に構成されている。
【０１０６】
液剤吐出器用アタッチメントは、図１６（ａ）及び図１６（ｂ）に示すヘッドカバー部１８０と、上述の第２装着部１７０（図７（ａ）、図７（ｂ））と、上述の揺動部１６０（図３参照）と、上述の操作部２０（図９（ａ）、図９（ｂ））と、を備えて構成されている。
【０１０７】
ここで、本実施形態の場合、液剤吐出器付きキャップ５０のヘッド部３０は、ガイド部３８及び突起部３３を有していない点で、上記の第１の実施形態に係る液剤吐出器付きキャップ５０のヘッド部３０と相違する。ヘッド部３０の外筒部３２は、円筒状に形成されている。
ヘッドカバー部１８０は、外筒部３２の外径（ヘッド本体部３１の外径）とほぼ等しい内径の円筒形状に形成されており、図１６（ａ）に示すように、外筒部３２の周囲に被せられることによって、ヘッド部３０に装着されるようになっている。
【０１０８】
より詳細には、ヘッドカバー部１８０は、円筒状の外周面部１８２と、外周面部１８２の上端を閉塞している円板状の天面部１８１と、を備えている。
外周面部１８２の前部には、ヘッドカバー部１８０をヘッド部３０に装着する際に、外周面部１８２とノズル部４０とが干渉しないようにするとともに、ヘッドカバー部１８０が装着された状態でノズル部４０を前方に突出させるための、スリット１８３が形成されている。なお、スリット１８３の左右幅寸法は、ノズル部４０の左右幅寸法と同等に設定されており、ヘッドカバー部１８０におけるスリット１８３の左右の縁部によって、ヘッド部３０に対して相対的なヘッドカバー部１８０の軸回転が規制される。
また、ヘッドカバー部１８０がヘッド部３０に装着された状態で、例えば、天面部１８１の下面がヘッド部３０の上面３０ａに対して当接するようになっており、ヘッド部３０に対して相対的に下方にヘッドカバー部１８０が移動することが規制された状態となる。
【０１０９】
更に、ヘッドカバー部１８０の外周面部１８２の左右両側面の各々には、第１の実施形態で説明したガイド部３８と同等の形状のガイド部３８及び突起部３３が形成されている。ガイド部３８（第１ガイドリブ３８ａ、第２ガイドリブ３８ｂ及びガイド溝３８ｃは、例えば、ヘッドカバー部１８０の上端から下端に亘って、上下に延在している。
【０１１０】
図１６（ｂ）に示すようにヘッドカバー部１８０を外筒部３２に装着するとともに、図３と同様に、起立筒５３に第２装着部１７０を装着し、且つ、軸受部１７５により揺動部１６０の軸部１６４を軸支させ、作用面１６５ａをヘッドカバー部１８０の突起部３３上に載置し、且つ、ガイド部３８に対して被ガイド部２４を嵌合させて操作部２０の押下部２１の下面２１ａを揺動部１６０の力点部１６１によって支持させることにより、第１の実施形態に係る液剤吐出器付きキャップ５０と同等の機能を持つようにできる。
【０１１１】
このように、本実施形態に係る液剤吐出器用アタッチメントは、液剤１５０を貯留する容器本体１０に装着される装着部５２と、装着部５２に対して上記一方向及び上記一方向に対する反対方向に移動可能に装着部５２に保持され装着部５２に対して相対的に上記一方向に押し込まれることにより液剤１５０が通過するヘッド部３０と、ヘッド部３０を通過した液剤１５０を吐出する吐出口４１と、を備える液剤吐出器付きキャップ５０に装着して用いられる液剤吐出器用アタッチメントであって、装着部５２に装着される第２装着部１７０と、上記一方向の成分を持つ方向及びその反対方向に第２装着部１７０に対して相対的に揺動可能に軸支部９１において軸支されているとともに押し込み力を受ける力点部１６１を有する揺動部１６０と、ユーザーの操作により第２装着部１７０に対して相対的に押し込まれる操作部２０であって押し込まれる際に力点部１６１を押し込む押込部（押下部２１）を有する操作部２０と、ヘッド部３０に対して相対的な上記一方向への移動が規制された状態でヘッド部３０に装着されるヘッドカバー部１８０と、力点部１６１と軸支部９１との間に位置する作用部であって力点部１６１が押し込まれることにより揺動部１６０が上記一方向の成分を持つ方向に揺動する際に揺動部１６０からヘッドカバー部１８０に対して押し込み力を伝達する作用部と、操作部２０が押し込まれる際に操作部２０の姿勢を維持させつつヘッドカバー部１８０に対する操作部２０の相対移動をガイドするガイド機構と、を備え、当該液剤吐出器用アタッチメントを上記一方向に視たときに、ヘッド部３０の少なくとも一部分が操作部２０によって覆われる。
より詳細には、本実施形態に係る液剤吐出器用アタッチメントは、液剤１５０を貯留する容器本体１０に装着される装着部５２と、装着部５２に対して上下動可能に装着部５２に保持され装着部５２に対して相対的に押し下げられることにより液剤１５０が通過するヘッド部３０と、ヘッド部３０を通過した液剤１５０を吐出する吐出口４１と、を備える液剤吐出器付きキャップ５０に装着して用いられる液剤吐出器用アタッチメントであって、装着部５２に装着される第２装着部１７０と、第２装着部１７０に対して相対的に下向き成分を持つ方向及びその反対方向に揺動可能に軸支部９１において軸支されているとともに押下力を受ける力点部１６１を有する揺動部１６０と、第２装着部１７０に対して相対的に押し下げられる操作部２０であって押し下げられる際に力点部１６１を押し下げる押下部２１を有する操作部２０と、ヘッド部３０に対して相対的に下方への移動が規制された状態でヘッド部３０に装着されるヘッドカバー部１８０と、力点部１６１と軸支部９１との間に位置する作用部であって力点部１６１が押し下げられることにより揺動部１６０が下向き成分を持つ方向に揺動する際に揺動部１６０からヘッド部３０に対して押下力を伝達する作用部と、操作部２０が押し下げられる際に操作部２０の姿勢を維持させつつヘッド部３０に対する操作部２０の相対移動をガイドするガイド機構と、を備え、平面視において、ヘッド部３０の少なくとも一部分が操作部２０によって覆われる。
【０１１２】
なお、ヘッドカバー部１８０は、外筒部３２に対して着脱可能であっても良いし、外筒部３２に対して固定的に装着されるものであっても良い。
【０１１３】
第４の実施形態によれば、ガイド部３８、突起部３３、第２装着部１７０、揺動部１６０及び操作部２０等を備えていない一般的な構造の液剤吐出器付きキャップ５０に、液剤吐出器用アタッチメント（ヘッドカバー部１８０、第２装着部１７０、揺動部１６０及び操作部２０）をアタッチメントとして後付けで装着できる。そして、一般的な構造の液剤吐出器付きキャップ５０に液体吐出器用アタッチメントを後付けで装着することによって、上記の第１の実施形態と同様の効果が得られる。
【０１１４】
〔第５の実施形態〕
次に、図１７から図２４を用いて第５の実施形態を説明する。
本実施形態に係る液剤吐出器付きキャップ５０は、以下に説明する点で、上記の第１の実施形態に係る液剤吐出器付きキャップ５０と相違し、その他の点では、上記の第１の実施形態に係る液剤吐出器付きキャップ５０と同様に構成されている。
図１１から図１９、図２２及び図２４の各図に示す状態は、操作部２０及びヘッド部３０が押し下げられていない通常時の状態（通常状態）、すなわち操作部２０及びヘッド部３０がそれぞれ上死点に位置する状態である。一方、図２１に示す状態は、操作部２０及びヘッド部３０が下限位置まで押し下げられた状態、すなわち操作部２０及びヘッド部３０がそれぞれ下死点に位置する状態である。また、図２０に示す状態は、操作部２０及びヘッド部３０が上死点と下死点との中間に位置する状態である。
図１８から図２３における左方向が前方、図１８から図２３における右方向が後方であるものとし、図１８における上方向及び図１９から図２３における紙面の奥側方向が左方、図１８における下方向及び図１９から図２３における紙面の手前側方向が右方であるものとする。
【０１１５】
図１８に示すように、本実施形態の場合も、液剤吐出容器１００を上記一方向に視たときに（つまり平面視したときに）、ヘッド部３０の少なくとも一部分が操作部２０によって覆われる。
より詳細には、液剤吐出容器１００を上記一方向に視たときに、筒状部（外筒部３２）の全体が操作部２０（例えば操作受部２５）によって覆われる。
【０１１６】
また、液剤吐出容器１００を上記一方向に視たときに、作用部の全体が操作部２０によって覆われる。
【０１１７】
また、液剤吐出容器１００を上記一方向に視たときに、力点部１６１の前部が操作部２０によって覆われるとともに、力点部１６１の後部が操作部２０の外形線の外側（後側）に位置する。
【０１１８】
また、本実施形態の場合も、ヘッド部３０は、軸心が上記一方向に延在する筒状部（外筒部３２）を有している。そして、筒状部（外筒部３２）の軸心３０ｂの延長上に操作部２０が配置されている。より詳細には、筒状部（外筒部３２）の軸心３０ｂの延長上に操作受部２５が配置されている。
【０１１９】
また、液剤吐出容器１００を上記一方向に視たときに、ガイド機構（ガイド部３８及び被ガイド部２４）の全体が操作部２０（例えば操作受部２５）によって覆われる。
【０１２０】
本実施形態の場合も、第２装着部１７０は装着部５２に対して着脱可能に装着されている。ただし、本実施形態の場合、第２装着部１７０は、（起立筒５３を介して間接的にではなく）装着部５２に対して直接的に着脱可能に装着されている。
そして、揺動部１６０は、第２装着部１７０に対して軸支部９１において軸支されている。
本実施形態においても、揺動部１６０を軸支する第２装着部１７０が装着部５２に対して着脱可能であるため、液剤吐出容器１００における第２装着部１７０とそれ以外の部分とを別個に製造すれば良いため、液剤吐出容器１００の製造容易性が向上する。
【０１２１】
本実施形態の場合も、装着部５２は、内周面にねじ山が形成された筒状部と、筒状部の上端を当該上端の中央部を除いて閉塞している天面部と、を有している。ここで、装着部５２の筒状部は、当該筒状部の軸心が上記一方向に延在している。すなわち、装着部５２は、軸心が上記一方向に延在する装着筒状部を有している。本実施形態においても、第１の実施形態と同様に、上記一方向は下方向である。
本実施形態の場合、第２装着部１７０は、装着部５２の筒状部（装着筒状部）の周方向に移動可能に、当該筒状部に装着されている。
ここで、ヘッド部３０は、装着部５２及び起立筒５３に対して相対的に、装着部５２の筒状部の軸周りに回転可能となっている。また、揺動部１６０は、軸支部９１において第２装着部１７０に支持されているとともに、境界部１６５がヘッド部３０の突起部３３によって支持されている。また、操作部２０は、被ガイド部２４がヘッド部３０のガイド部３８に対して係合しているとともに、押下部２１が揺動部１６０の力点部１６１によって支持されている。そして、第２装着部１７０が装着部５２の筒状部の周方向に移動する際には、第２装着部１７０、揺動部１６０、ヘッド部３０、吐出口４１を含むノズル部４０、及び、操作部２０が一体となって装着部５２の筒状部の軸周りに回転する。
すなわち、第２装着部１７０が装着筒状部の周方向に移動するのに伴い、揺動部１６０、ヘッド部３０、吐出口４１及び操作部２０が一体となって装着筒状部の軸周りに回転する。
よって、ユーザーが第２装着部１７０、揺動部１６０、ヘッド部３０、吐出口４１及び操作部２０を好みの位置に移動（回転）させて、液剤吐出容器１００を用いることができる。
【０１２２】
なお、第１の実施形態においても、第２装着部１７０が起立筒５３の軸周りに回転可能となっているとともに、第２装着部１７０が起立筒５３及び装着部５２の筒状部の周方向に移動するのに伴い、揺動部１６０、ヘッド部３０、吐出口４１及び操作部２０が一体となって装着部５２の筒状部の軸周りに回転するようになっていてもよい。
【０１２３】
より詳細には、図１９及び図２３に示すように、装着部５２の筒状部の外周面には、当該筒状部を周回する周回状溝部５２ａが形成されている。周回状溝部５２ａは、側方に開口している。周回状溝部５２ａの上端は、装着部５２の筒状部の径方向外方に向けて張り出している周回状庇部５２ｂによって画定されている。周回状庇部５２ｂにおける張り出し方向先端部の下面には、周回状係止爪部５２ｄが形成されている。周回状溝部５２ａの底面（周回状傾斜底面５２ｃ）は、装着部５２の筒状部の径方向外方に向けて下り傾斜している。
【０１２４】
一方、第２装着部１７０は、周回状溝部５２ａと嵌合することによって装着部５２に対して着脱可能に連結（装着）されている連結部１７６と、連結部１７６から上方に向けて起立している支柱状の支持部１７４と、を備えている。なお、図１７に示すように、装着部５２の筒状部の周方向における連結部１７６の寸法は、装着部５２の筒状部の周方向における支持部１７４の寸法よりも大きいことが好ましい。
図２３に示すように、連結部１７６は、周回状溝部５２ａに対して嵌入している底部１７６ａと、底部１７６ａの上側に隣接して配置されていて周回状庇部５２ｂが嵌入されている凹部１７６ｂと、を有している。
底部１７６ａの上面には係止部１７６ｃが形成されており、該係止部１７６ｃは、周回状庇部５２ｂの周回状係止爪部５２ｄと係合している。
【０１２５】
このように、上記一方向は下方向であり、第２装着部１７０は、装着筒状部（装着部５２の筒状部）の外周面に形成された溝（周回状溝部５２ａ）に対して嵌合することによって、装着筒状部に対して着脱可能に装着されている。
ここで、装着部５２の溝（周回状溝部５２ａ）が、装着筒状部の外周面に形成されている、すなわち周回状溝部５２ａが側方に向けて開放しているため、周回状溝部５２ａに水等が溜まってしまうことを抑制できる。
【０１２６】
また、装着筒状部（装着部５２の筒状部）の溝（周回状溝部５２ａ）の底面（周回状傾斜底面５２ｃ）は、装着筒状部の径方向外方に向けて下り傾斜している。よって、周回状溝部５２ａに水等が溜まってしまうことをより好適に抑制できる。
【０１２７】
なお、本実施形態の場合、周回状溝部５２ａは装着部５２の筒状部の周囲を１周しており（３６０度周回しており）、第２装着部１７０、揺動部１６０、ヘッド部３０、吐出口４１及び操作部２０は装着部５２の装着筒状部の軸周りに３６０度回転可能である。
ただし、本発明は、この例に限らず、第２装着部１７０、揺動部１６０、ヘッド部３０、吐出口４１及び操作部２０は装着部５２の軸周りにおいて３６０度未満の角度範囲で回転可能であってもよい。すなわち、周回状溝部５２ａは、装着部５２の筒状部の周囲において、３６０度未満の角度範囲に延在していてもよい。
【０１２８】
また、図１７等に示すように、支持部１７４の上端部には、水平に延在する棒状の軸部１７７が形成されている。
一方、揺動部１６０には、軸部１７７を軸受けする軸受部１６７が形成されている。軸受部１６７の内部には、軸部１７７と嵌合する空洞が形成されている。
図２４に示すように、揺動部１６０には、軸受部１６７の内部の空洞に軸部１７７を押し込むための開口１６７ａが形成されている。軸部１７７が開口１６７ａを介して軸受部１６７内に嵌入することによって、揺動部１６０が第２装着部１７０に対して軸支されている。
本実施形態の場合、軸受部１６７と軸部１７７とにより軸支部９１が構成されている。軸部１７７は軸支部９１の軸方向に延在している。
このように、軸支部９１は、第２装着部１７０に形成されていて軸支部９１の軸方向に延在する棒状の軸部１７７と、揺動部１６０に形成されていて軸部１７７を軸受けする軸受部１６７と、を含んで構成されている。
軸部１７７が軸受部１６７によって覆われているため、軸部１７７の破損を抑制できるとともに、液剤吐出容器１００を見栄え良くすることができる。
【０１２９】
本実施形態の場合、揺動部１６０は、軸受部１６７、左右の第１部分１６２、左右の第２部分１６３及び力点部１６１がそれぞれ棒状に形成されており、これら軸受部１６７、左右の第１部分１６２、左右の第２部分１６３及び力点部１６１の総体は、環状の棒状となっている。
ただし、図１９等に示すように、揺動部１６０は、第１部分１６２及び第２部分１６３から下方に延びているカバー部１６６を有している。
このカバー部１６６は、液剤吐出容器１００を軸支部９１の軸方向に視たときに、突起部３３を覆う。
【０１３０】
上記のように、ヘッド部３０は、軸心が上記一方向に延在する筒状部（外筒部３２）を有している。
そして、図１９から図２２に示すように、カバー部１６６は、液剤吐出容器１００を軸支部９１の軸方向に視たときに筒状部（外筒部３２）における上記一方向側の端縁（外筒部３２の下端縁）を覆う。これにより、筒状部における上記一方向側の端縁において指などを挟み込んでしまうことが抑制されている。
ここで、カバー部１６６がヘッド部３０の筒状部における上記一方向側の端縁を覆うとは、カバー部１６６が当該筒状部における上記一方向側の端縁の少なくとも一部分を覆うことを意味する。
【０１３１】
また、図１９から図２２に示すように、装着部５２に対するヘッド部３０の押し込み量にかかわらず、カバー部１６６は、液剤吐出容器１００を軸支部９１の軸方向に視たときに、筒状部（外筒部３２）における上記一方向側の端縁を覆う。つまり、液剤吐出容器１００を軸支部９１の軸方向に視たときに、カバー部１６６は、常に、筒状部（外筒部３２）における上記一方向側の端縁を覆う。
【０１３２】
また、本実施形態の場合、操作部２０は、上記一方向に対して直交する板状（つまり水平な板状）に形成されていて押し込み操作を受ける操作受部２５と、操作受部２５において軸支部９１の軸方向における両端部（つまり左右両端部）からそれぞれ一方向（下方）に延出しているスカート部２８と、を有する。
【０１３３】
図２１に示すように、操作部２０が押し込まれた際（例えば下死点まで押し込まれた際）に、液剤吐出容器１００を軸支部９１の軸方向に視たときに、スカート部２８は、ヘッド部３０における上記一方向に対する反対方向側の端部（つまり上端部）を覆う。
これにより、操作部２０が押し込まれた際に、操作部２０とヘッド部３０との間に指などを挟み込んでしまうことを抑制できる。
【０１３４】
本実施形態の場合も、作用面１６５ａにおいて突起部３３と接触する部位は、常に水平に維持されるように、作用面１６５ａの形状（傾斜）が設定されている（図１９から図２１参照）。
【０１３５】
また、本実施形態においても、ヘッド部３０は、軸心が上記一方向に延在する筒状部（外筒部３２）を有し、揺動部１６０は、液剤吐出容器１００を上記一方向に視たときに筒状部を囲む環状に形成されており、液剤吐出容器１００は、軸支部９１の軸方向において相互に離間した一対の作用部を有する。よって、一対の作用部によって、揺動部１６０からヘッド部３０に対して、バランス良く安定的に押し込み力を伝達することができる。
【０１３６】
また、軸支部９１と力点部１６１とは、上記一方向と軸支部９１の軸方向との双方に対して直交する方向（つまり前後方向）において、筒状部（外筒部３２）を間に挟んで互いに反対側に配置されている。
そして、液剤吐出容器１００を軸支部９１の軸方向に視たときに、揺動部１６０は、軸支部９１から上記一方向に対する反対方向の成分を持つ方向且つ力点部１６１側に延びる第１部分１６２と、第１部分１６２における力点部１６１側の端部から力点部１６１に向けて延びる第２部分１６３と、を有している。
そして、揺動部１６０は、第１部分１６２と第２部分１６３との境界部１６５において上記一方向に対する反対方向に凸に屈曲しており、揺動部１６０の境界部１６５と、筒状部（外筒部３２）の外周面から突出している突起部３３と、により作用部が構成されている。
よって、操作部２０及びヘッド部３０が押し込まれた後、揺動部１６０を上記一方向に押し戻す力をヘッド部３０から揺動部１６０に伝達する際に、その力をスムーズに伝達することができる。
【０１３７】
本実施形態の場合、カバー部２６は、操作受部２５の左右両端部からそれぞれ垂下した柱状の部分であり、カバー部２６の下部２６ｂは、水平に配置されており、外筒部３２の上端部における後側の半部に沿って約１８０度の範囲に亘って周回している。したがって、左右のカバー部２６は、下部２６ｂにおいて相互に連結されている。また、第１の実施形態とは異なり、カバー部２６の後部は、下部２６ｂの上方において、後方に向けて開放している。また、押下部２１は、下部２６ｂの後端部から後方に延出している。
【０１３８】
被ガイド部２４は、左右のカバー部２６の前縁部において、上下に延在している。
本実施形態の場合、被ガイド部２４は、カバー部２６の前縁において上下に延在している被ガイドリブ２４ｂと、被ガイドリブ２４ｂの後側に配置されていて上下に延在している被ガイド溝２４ａと、を備えて構成されている。
【０１３９】
本実施形態においても、ガイド部３８は、外筒部３２の左右両端部にそれぞれ形成されていて、上下に延在している。
図１８に示すように、本実施形態の場合、ガイド部３８は、被ガイド溝２４ａに対して嵌入している第１ガイドリブ３８ａと、被ガイドリブ２４ｂが嵌入しているガイド溝３８ｃと、被ガイド溝２４ａの前面をガイドする第２ガイドリブ３８ｂと、を備えて構成されている。
第２ガイドリブ３８ｂは、外筒部３２の外周面から側方への突出量が、当該第２ガイドリブ３８ｂの上部では相対的に大きく、当該第２ガイドリブ３８ｂの下部では相対的に小さい。
そして、突起部３３は、第２ガイドリブ３８ｂの上部における下端部から側方に突出している。
【０１４０】
なお、操作部２０は、ヘッド部３０に対して上方に抜け止めされていても良い。例えば、被ガイドリブ２４ｂの下端部とガイド溝３８ｃの上端部とにそれぞれ突起（不図示）が形成されていることによって、操作部２０がヘッド部３０に対して上方に抜け止めされている。
【０１４１】
更に、ヘッド部３０の外筒部３２の後面には、第２ガイド部３９が、押下部２１の前面には、第２ガイド部３９によって上下にガイドされる第２被ガイド部２９が、それぞれ形成されている。
【０１４２】
なお、本実施形態に係る液剤吐出容器は、全体の図示は省略するが、本実施形態に係る液剤吐出器付きキャップ５０と、上記の第１の実施形態と同様の容器本体１０（図１参照）と、を備えて構成されている。
また、本実施形態に係る液剤吐出容器詰め品は、全体の図示は省略するが、本実施形態に係る液剤吐出容器と、容器本体１０に充填された液剤と、を備えて構成されている。
【０１４３】
本実施形態によれば、本実施形態において説明した上記の効果の他、第１の実施形態と同様の効果が得られる。
【０１４４】
〔第６の実施形態〕
次に、図２５から図２８（ｂ）を用いて第６の実施形態を説明する。
本実施形態に係る液剤吐出器付きキャップ５０は、以下に説明する点で、上記の第１の実施形態に係る液剤吐出器付きキャップ５０と相違し、その他の点では、上記の第１の実施形態に係る液剤吐出器付きキャップ５０と同様に構成されている。
図２５から図２６（ｂ）の各図に示す状態は、操作部２０及びヘッド部３０が押し下げられていない通常時の状態（通常状態）、すなわち操作部２０及びヘッド部３０がそれぞれ上死点に位置する状態である。一方、図２８（ａ）及び図２８（ｂ）に示す状態は、操作部２０及びヘッド部３０が下限位置まで押し下げられた状態、すなわち操作部２０及びヘッド部３０がそれぞれ下死点に位置する状態である。また、図２７（ａ）及び図２７（ｂ）に示す状態は、操作部２０及びヘッド部３０が上死点と下死点との中間に位置する状態である。
図２６（ａ）から図２８（ｂ）において、左方向が前方、右方向が後方、紙面の奥側方向が左方、紙面の手前側方向が右方であるものとする。
【０１４５】
図２５から図２６（ｂ）に示すように、本実施形態の場合、操作部２０は、操作受部２５から垂下する筒部２２１を有している。筒部２２１の軸心は上下に延在している。
本実施形態の場合、吐出口４１を含むノズル部４０は、ヘッド部３０には設けられておらず、操作部２０の上端部から前方に突出している。
筒部２２１の内部空間は、ノズル部４０の先端の吐出口４１に連通している。
操作部２０は、カバー部２６及び被ガイド部２４を有していない。一方、ヘッド部３０はガイド部３８を有していない。
【０１４６】
また、図２６（ｂ）に示すように、外筒部３２と内筒部３４とは、ヘッド部３０の下端部の連結部３５において相互に連結されているが、ヘッド部３０の上端部においては相互に離間している。
また、外筒部３２の外径は起立筒５３の内径よりも小径であり、ヘッド部３０は起立筒５３内に挿入されている。
【０１４７】
外筒部３２と内筒部３４との間隙には、筒部２２１が当該筒部２２１の下部から挿入されている。本実施形態の場合、操作部２０が押し込まれる際に操作部２０の姿勢を維持させつつヘッド部３０に対する操作部２０の相対移動をガイドするガイド機構は、外筒部３２、内筒部３４及び筒部２２１により構成されている。すなわち、筒部２２１の外周面及び内周面は、外筒部３２の内周面と内筒部３４の外周面とによりガイドされ、外筒部３２の内周面に対して筒部２２１の下端の外周部が上下に摺動する。
また、操作部２０の押し込み方向と、ガイド機構による操作部２０のガイド方向と、が互いに同方向であり、ガイド機構は、ヘッド部３０が有するガイド部（外筒部３２及び内筒部３４）と、ガイド部にガイドされる被ガイド部であって操作部２０が有する被ガイド部（筒部２２１）と、を含み、ガイド部は、被ガイド部において上記一方向において互いに離間する少なくとも２つの部位を上記一方向及び上記一方向に対する反対方向にガイドする。
なお、筒部２２１はヘッド部３０に対して上方に抜け止めされていても良い。
【０１４８】
また、押下部２１は、ノズル部４０の下面に形成されている。押下部２１は、前後に延在している。押下部２１の下面２１ａは水平に配置されている。
なお、力点部１６１の左右両端部には、力点部１６１に対して押下部２１が左右に位置ずれしてしまうことを抑制するための起立壁１６１ｂが立設されている。
【０１４９】
図２６（ａ）に示すように、突起部３３は、外筒部３２の外周面の上端部に配置されている。突起部３３の突出方向における先端部の上面には、突起部３３の上面からの揺動部１６０の脱落を抑制するための起立壁３３ａが形成されている。
【０１５０】
また、本実施形態の場合、支持部１７４は装着部５２と一体的に設けられている。支持部１７４は、装着部５２の天面部の上面から上方に向けて起立している柱状の部分である。支持部１７４の上端部には、軸部１７７が形成されている。
また、軸部１７７を含む支持部１７４はヘッド部３０の後方に配置されており、軸部１７７を含む軸支部９１もヘッド部３０の後方に配置されている。
一方、図２６（ｂ）に示すように、力点部１６１はヘッド部３０よりも前方に配置されている。
すなわち、液剤吐出容器１００を上記一方向に視たときに、軸支部９１と力点部１６１とは、上記一方向と軸支部９１の軸方向との双方に対して直交する方向（つまり前後方向）において、筒状部（外筒部３２）を間に挟んで互いに反対側に配置されている。
【０１５１】
また、液剤吐出容器１００を軸支部９１の軸方向に視たときに、揺動部１６０は、軸支部９１から力点部１６１側に延びる第１部分１６２と、第１部分１６２における力点部１６１側の端部から上記一方向に対する反対方向の成分を持つ方向且つ力点部１６１に向けて延びる第２部分１６３と、を有し、第１部分１６２と第２部分１６３との境界部１６５において上記一方向に凸に屈曲している。すなわち、本実施形態の場合、側面視したときの揺動部１６０の屈曲の方向が、第１の実施形態、第２の実施形態及び第５の実施形態とは反対方向となっている。
そして、揺動部１６０の境界部１６５と、筒状部（外筒部３２）の外周面から突出している突起部３３と、により作用部が構成されている。
【０１５２】
本実施形態の場合、操作部２０が押し下げられることにより、図２７（ａ）、図２７（ｂ）、図２８（ａ）及び図２８（ｂ）に示すように、操作部２０がヘッド部３０に対して相対的に下降して筒部２２１が外筒部３２と内筒部３４との間隙に対してより深く挿入されるとともに、ヘッド部３０が起立筒５３に対して相対的に下降する。
【０１５３】
なお、本実施形態に係る液剤吐出容器は、全体の図示は省略するが、本実施形態に係る液剤吐出器付きキャップ５０と、上記の第１の実施形態と同様の容器本体１０（図１参照）と、を備えて構成されている。
また、本実施形態に係る液剤吐出容器詰め品は、全体の図示は省略するが、本実施形態に係る液剤吐出容器と、容器本体１０に充填された液剤と、を備えて構成されている。
【０１５４】
〔第７の実施形態〕
次に、図２９から図３１を用いて第７の実施形態を説明する。
本実施形態に係る液剤吐出器付きキャップ５０は、以下に説明する点で、上記の第５の実施形態に係る液剤吐出器付きキャップ５０と相違し、その他の点では、上記の第５の実施形態に係る液剤吐出器付きキャップ５０と同様に構成されている。
図２９に示す状態は、操作部２０及びヘッド部３０が押し下げられていない通常時の状態、すなわち操作部２０及びヘッド部３０がそれぞれ上死点に位置する状態である。一方、図３０に示す状態は、操作部２０及びヘッド部３０が下限位置まで押し下げられた状態、すなわち操作部２０及びヘッド部３０がそれぞれ下死点に位置する状態である。また、図３１に示す状態は、液剤吐出器付きキャップ５０の使用前の状態（流通時の状態）である。
図３１において、左方向が前方、右方向が後方、紙面の奥側方向が左方、紙面の手前側方向が右方であるものとする。
なお、本実施形態の場合、液剤吐出器付きキャップ５０は、液剤を非泡状の液状のまま吐出する。
【０１５５】
本実施形態の場合、第２装着部１７０と揺動部１６０とが一体成形されており、軸支部９１は、第２装着部１７０と揺動部１６０との境界部に形成された薄肉ヒンジにより構成されている。
なお、第２装着部１７０と揺動部１６０とを一体に有する部材を揺動部ユニット１９０と称する。
【０１５６】
図２９及び図３０に示すように、第２装着部１７０は、平面視Ｃ環状のＣ環状装着部１７８を下端部に備えており、支持部１７４はＣ環状装着部１７８の上面から上方に起立している。軸支部９１は、支持部１７４の上端部に形成されている。
【０１５７】
図３１に示すように、Ｃ環状装着部１７８の内周面には、水平に延びる平面視Ｃ環状の溝１７８ａが形成されている。
一方、起立筒５３の外周面には、当該起立筒５３を周回する周回リブ５３ａが形成されている。Ｃ環状装着部１７８に起立筒５３が嵌め込まれるとともに、溝１７８ａと周回リブ５３ａとが嵌合することによって、第２装着部１７０、ひいては揺動部ユニット１９０が起立筒５３に装着されている。
なお、Ｃ環状装着部１７８は、起立筒５３に装着された状態で、起立筒５３に対して相対的に、起立筒５３の軸周りに回転可能となっている。Ｃ環状装着部１７８が起立筒５３の軸周りに回転する際には、溝１７８ａが周回リブ５３ａに対して摺動する。
【０１５８】
起立筒５３において、当該起立筒５３にＣ環状装着部１７８が装着された状態においてＣ環状装着部１７８よりも上方の部分は、外周面にネジ山が形成された雄ネジ部５３ｂとなっている。
一方、外筒部３２の下端部は、内周面にネジ山が形成された雌ネジ部３２ａとなっている。
雌ネジ部３２ａは雄ネジ部５３ｂと螺合可能である。
液剤吐出器付きキャップ５０の使用前（流通時）においては、図３１に示すように、ヘッド部３０及び操作部２０が押し込まれるとともに雌ネジ部３２ａと雄ネジ部５３ｂとが螺合することによって、ヘッド部３０及び操作部２０の上方への移動が規制されている。
すなわち、本実施形態に係る液剤吐出容器は、ヘッド部３０及び操作部２０が装着部５２に対して相対的に上記一方向に対する反対方向に移動することを規制してヘッド部３０及び操作部２０を押し込み状態に保持させる保持機構（雄ネジ部５３ｂ及び雌ネジ部３２ａ）を備えている。
これにより、流通時において、液剤吐出容器の高さ寸法を抑制することができる。
【０１５９】
本実施形態の場合、被ガイド部２４は、カバー部２６に形成された被ガイド溝２４ａにより構成されており、ガイド部３８は、外筒部３２に形成されていて被ガイド溝２４ａをガイドする第１ガイドリブ３８ａにより構成されている。
【０１６０】
図３１に示すように、液剤吐出器付きキャップ５０は、内筒部３４に対して内筒部３４と同軸に連接されていて内筒部３４よりも下方に延びている接続筒部１５５を備えている。接続筒部１５５は起立筒５３及び装着部５２に挿通されており、接続筒部１５５の下部はハウジング５６（図２９）と連結されている。
【０１６１】
なお、本実施形態に係る液剤吐出容器は、全体の図示は省略するが、本実施形態に係る液剤吐出器付きキャップ５０と、上記の第１の実施形態と同様の容器本体１０（図１参照）と、を備えて構成されている。
また、本実施形態に係る液剤吐出容器詰め品は、全体の図示は省略するが、本実施形態に係る液剤吐出容器と、容器本体１０に充填された液剤と、を備えて構成されている。
【０１６２】
液剤吐出容器の使用時には、揺動部ユニット１９０、ヘッド部３０及び操作部２０を起立筒５３に対して相対的に軸周りに回転させることによって、雌ネジ部３２ａと雄ネジ部５３ｂとの螺合状態を解除させる。すると、ヘッド部３０がバネ体５８の付勢に従って上昇し、図２９に示すようにヘッド部３０及び操作部２０が上死点に位置する。
その後、操作部２０に対して押し下げ操作を行うことにより（図３０）、吐出口４１から液剤が液状のまま吐出される。
【０１６３】
〔第８の実施形態〕
次に、図３２から図３５を用いて第８の実施形態を説明する。
本実施形態に係る液剤吐出器付きキャップ５０は、以下に説明する点で、上記の第５の実施形態に係る液剤吐出器付きキャップ５０と相違し、その他の点では、上記の第５の実施形態に係る液剤吐出器付きキャップ５０と同様に構成されている。
図３２及び図３４に示す状態は、操作部２０及びヘッド部３０が押し下げられていない通常時の状態、すなわち操作部２０及びヘッド部３０がそれぞれ上死点に位置する状態である。一方、図３５に示す状態は、操作部２０及びヘッド部３０が下限位置まで押し下げられた状態、すなわち操作部２０及びヘッド部３０がそれぞれ下死点に位置する状態である。
図３４及び図３５において、左方向が前方、右方向が後方、紙面の奥側方向が左方、紙面の手前側方向が右方であるものとする。
【０１６４】
図３２に示すように、本実施形態の場合、支持部１７４は装着部５２と一体に形成されている。すなわち、支持部１７４は、装着部５２の天面部の上面から上方に向けて起立している柱状の部分である。
支持部１７４の上端には軸受部１７５が形成されており、該軸受部１７５によって揺動部１６０の軸部１６４が軸受けされている。
なお、揺動部１６０における軸部１６４の左右両端部の上面からは、それぞれ起立壁１６４ａが形成されている。これら起立壁１６４ａによって、軸部１６４が軸受部１７５に対して左右方向において位置決めされている。
【０１６５】
本実施形態の場合、操作部２０は、操作受部２５の周縁部から下方に垂下した３つの支柱２６０を有している。
図３３に示すように、３つの支柱２６０は、平面視において、外筒部３２の軸心３０ｂを中心として略等角度間隔（約１２０度間隔）に配置されている。
このうち２つの支柱２６０は、平面視において、ノズル部４０を間に挟んで両側に配置されている。また、残りの１つの支柱２６０は、外筒部３２の後端に沿って配置されている。
【０１６６】
ノズル部４０の両側に配置されている２つの支柱２６０には、上下に延在する蟻溝状の溝により構成された被ガイド部２４が形成されている。
同様に、外筒部３２の後端に沿って配置された支柱２６０には、上下に延在する蟻溝状の溝により構成された第２被ガイド部２９が形成されている。
一方、外筒部３２の外周面には、各被ガイド部２４をガイドする２つのガイド部３８と、第２被ガイド部２９をガイドする１つの第２ガイド部３９とが形成されている。ガイド部３８及び第２ガイド部３９は、それぞれ上下に延在する蟻ほぞ状のリブにより構成されている。
【０１６７】
このように、ヘッド部３０は、筒状部（外筒部３２）の外周面の３箇所以上にそれぞれガイド部（例えば、２つのガイド部３８と１つの第２ガイド部３９）を有する。
よって、ヘッド部３０は３箇所以上で操作部２０をガイドするため、操作部２０をよりバランス良く安定的にガイドすることができる。
【０１６８】
より詳細には、液剤吐出容器は、筒状部（外筒部３２）の外周面から当該筒状部の径方向外方に突出していて先端部に吐出口４１を有するノズル部４０を備え、ヘッド部３０は、ノズル部４０を間に挟む２つのガイド部３８と、筒状部におけるノズル部４０とは反対側位置に配置されている１つのガイド部（第２ガイド部３９）と、を有する。このような構成により、ヘッド部３０によって操作部２０をよりバランス良く安定的にガイドすることができる。
より詳細には、平面視において、２つのガイド部３８は外筒部３２の軸心３０ｂよりも前方に配置されていて、第２ガイド部３９は軸心３０ｂよりも後方に配置されている。これにより、ヘッド部３０によって操作部２０をよりバランス良く安定的にガイドすることができる。
【０１６９】
図３４及び図３５に示すように、本実施形態の場合、外筒部３２の後端に沿って配置されている支柱２６０の下端部に押下部２１が形成されている。
【０１７０】
なお、本実施形態に係る液剤吐出容器は、全体の図示は省略するが、本実施形態に係る液剤吐出器付きキャップ５０と、上記の第１の実施形態と同様の容器本体１０（図１参照）と、を備えて構成されている。
また、本実施形態に係る液剤吐出容器詰め品は、全体の図示は省略するが、本実施形態に係る液剤吐出容器と、容器本体１０に充填された液剤と、を備えて構成されている。
【０１７１】
本発明は上述の各実施形態に限定されるものではなく、本発明の目的が達成される限りにおける種々の変形、改良等の態様も含む。各実施形態において説明された事項は適宜、組み合わせることが可能である。
【０１７２】
例えば、上記の第４の実施形態では、上記の第１の実施形態に係る液剤吐出器付きキャップ５０に準じた構成の液剤吐出器用アタッチメントについて説明したが、液剤吐出器用アタッチメントは、第２、第３、第５、第６、第７、第８の実施形態に係る液剤吐出器付きキャップ５０に準じた構成のものであっても良い。なお、第２の実施形態に係る液剤吐出器付きキャップ５０に準じた構成の液剤吐出器用アタッチメントのヘッドカバーは、第２の実施形態に係る液剤吐出器付きキャップ５０と同様のガイド部３８、突起部３３及び第２ガイド部３９を有しているとともに、第２の実施形態に係る液剤吐出器付きキャップ５０と同様の第２装着部１７０、揺動部１６０及び操作部２０を有している。
【０１７３】
また、第３の実施形態では、揺動部６０及び操作部２０等の構成が液剤吐出器付きキャップ５０の一部構成として予め組み込まれている例を説明した。ただし、本発明は、これらの例に限らず、揺動部６０及び操作部２０等を備えていない一般的な構造の液剤吐出器付きキャップに、第３の実施形態で説明した構造の揺動部６０及び操作部２０等の構成をアタッチメント（液体吐出器用アタッチメント）として後付けで装着できるようにしても良い。このようにすることにより、一般的な構造の液剤吐出器付きキャップに液体吐出器用アタッチメントを後付けで装着することによって、上記の第３の実施形態と同様の効果が得られる。なお、この場合、液体吐出器用アタッチメントのヘッドカバーは、突起部３３及びガイド溝１１１を有しており、第２装着部は、左右一対の柱状の支持部５４を有しており、軸支部９１において支持部５４に対して揺動部６０が軸支されるようになっている。
【０１７４】
また、第３の実施形態においても、第１の実施形態と同様に、操作部２０は、間隙覆い部及び力点覆い部を有していても良い。
【０１７５】
液剤吐出容器１００及び液剤吐出器付きキャップ５０の各構成要素は、個々に独立した存在である必要はない。複数の構成要素が一個の部材として形成されていること、一つの構成要素が複数の部材で形成されていること、ある構成要素が他の構成要素の一部であること、ある構成要素の一部と他の構成要素の一部とが重複していること、等を許容する。
【０１７６】
上記実施形態は、以下の技術思想を包含する。
＜１＞液剤を貯留する容器本体と、前記容器本体に装着される装着部と、前記装着部に対して上下動可能に前記装着部に保持され、前記装着部に対して相対的に押し下げられることにより前記液剤が通過するヘッド部と、前記ヘッド部を通過した前記液剤を吐出する吐出口と、前記装着部に対して相対的に下向き成分を持つ方向及びその反対方向に揺動可能に軸支部において軸支されているとともに、押下力を受ける力点部を有する揺動部と、前記装着部に対して相対的に押し下げられる操作部であって、押し下げられる際に前記力点部を押し下げる押下部を有する操作部と、前記力点部と前記軸支部との間に位置する作用部であって、前記力点部が押し下げられることにより前記揺動部が前記下向き成分を持つ方向に揺動する際に、前記揺動部から前記ヘッド部に対して押下力を伝達する作用部と、前記操作部が押し下げられる際に、前記操作部の姿勢を維持させつつ前記ヘッド部に対する前記操作部の相対移動をガイドするガイド機構と、を備える液剤吐出容器。
＜２＞前記ガイド機構は、前記操作部を前記ヘッド部に対して相対的に上下方向にガイドする＜１＞に記載の液剤吐出容器。
＜３＞前記操作部の押し下げ方向と、前記ガイド機構による前記操作部のガイド方向と、が互いに同方向であり、前記ガイド機構は、前記ヘッド部が有するガイド部と、前記ガイド部にガイドされる被ガイド部であって前記操作部が有する被ガイド部と、を含み、前記ガイド部は、前記被ガイド部において互いに上下に離間する少なくとも２つの部位を上下方向にガイドする＜２＞に記載の液剤吐出容器。
＜４＞前記押下部と前記力点部とは、前記軸支部の軸方向に対する交差方向であって水平方向成分を持つ方向において相対移動可能な状態で、相互に係合している＜３＞に記載の液剤吐出容器。
＜５＞前記操作部は、前記力点部を側方から覆う力点覆い部を有している＜１＞から＜４＞のいずれか一項に記載の液剤吐出容器。
＜６＞前記揺動部が前記操作部に対して相対的に揺動可能に、前記力点部が前記押下部に軸支されており、前記ガイド機構は、前記操作部を弧状の経路でガイドする＜１＞に記載の液剤吐出容器。
＜７＞前記操作部は、前記ヘッド部の上方に位置していて押下操作を受ける操作受部と、前記操作受部の下面と前記ヘッド部の上面との間隙を側方から覆う間隙覆い部と、を有している＜１＞から＜６＞のいずれか一項に記載の液剤吐出容器。
＜８＞液剤を貯留する容器本体に装着される装着部と、前記装着部に対して上下動可能に前記装着部に保持され、前記装着部に対して相対的に押し下げられることにより前記液剤が通過するヘッド部と、前記ヘッド部を通過した前記液剤を吐出する吐出口と、前記装着部に対して相対的に下向き成分を持つ方向及びその反対方向に揺動可能に軸支部において軸支されているとともに、押下力を受ける力点部を有する揺動部と、前記装着部に対して相対的に押し下げられる操作部であって、押し下げられる際に前記力点部を押し下げる押下部を有する操作部と、前記力点部と前記軸支部との間に位置する作用部であって、前記力点部が押し下げられることにより前記揺動部が前記下向き成分を持つ方向に揺動する際に、前記揺動部から前記ヘッド部に対して押下力を伝達する作用部と、前記操作部が押し下げられる際に、前記操作部の姿勢を維持させつつ前記ヘッド部に対する前記操作部の相対移動をガイドするガイド機構と、を備える液剤吐出器付きキャップ。
＜９＞液剤を貯留する容器本体に装着される装着部と、前記装着部に対して上下動可能に前記装着部に保持され、前記装着部に対して相対的に押し下げられることにより前記液剤が通過するヘッド部と、前記ヘッド部を通過した前記液剤を吐出する吐出口と、を備える液剤吐出器付きキャップに装着して用いられる液剤吐出器用アタッチメントであって、前記装着部に装着される第２装着部と、前記第２装着部に対して相対的に下向き成分を持つ方向及びその反対方向に揺動可能に軸支部において軸支されているとともに、押下力を受ける力点部を有する揺動部と、前記第２装着部に対して相対的に押し下げられる操作部であって、押し下げられる際に前記力点部を押し下げる押下部を有する操作部と、前記ヘッド部に対して相対的に下方への移動が規制された状態で前記ヘッド部に装着されるヘッドカバー部と、前記力点部と前記軸支部との間に位置する作用部であって、前記力点部が押し下げられることにより前記揺動部が前記下向き成分を持つ方向に揺動する際に、前記揺動部から前記ヘッドカバー部に対して押下力を伝達する作用部と、前記操作部が押し下げられる際に、前記操作部の姿勢を維持させつつ前記ヘッドカバー部に対する前記操作部の相対移動をガイドするガイド機構と、を備える液剤吐出器用アタッチメント。
＜１０＞＜１＞から＜７＞のいずれか一項に記載の液剤吐出容器と、前記容器本体に充填された前記液剤と、を備える液剤吐出容器詰め品。
＜１１＞液剤を貯留する容器本体と、前記容器本体に装着される装着部と、前記装着部に対して上下動可能に前記装着部に保持され、前記装着部に対して相対的に押し下げられることにより前記液剤が通過するヘッド部と、前記ヘッド部を通過した前記液剤を吐出する吐出口と、前記装着部に対して相対的に下向き成分を持つ方向及びその反対方向に揺動可能に軸支部において軸支されているとともに、押下力を受ける力点部を有する揺動部と、前記装着部に対して相対的に押し下げられる操作部であって、押し下げられる際に前記力点部を押し下げる押下部を有する操作部と、前記力点部と前記軸支部との間に位置する作用部であって、前記力点部が押し下げられることにより前記揺動部が前記下向き成分を持つ方向に揺動する際に、前記揺動部から前記ヘッド部に対して押下力を伝達する作用部と、前記操作部を前記ヘッド部に対して相対的に上下方向にガイドするガイド機構と、を備え、前記押下部と前記力点部とは、前記軸支部の軸方向に対して交差しているとともに水平方向成分を持つ方向において相対移動可能な状態で、相互に係合している液剤吐出容器。
＜１２＞液剤を貯留する容器本体と、前記容器本体に装着される装着部と、前記装着部に対して上下動可能に前記装着部に保持され、前記装着部に対して相対的に押し下げられることにより前記液剤が通過するヘッド部と、前記ヘッド部を通過した前記液剤を吐出する吐出口と、前記装着部に対して相対的に下向き成分を持つ方向及びその反対方向に揺動可能に軸支部において軸支されているとともに、押下力を受ける力点部を有する揺動部と、前記装着部に対して相対的に押し下げられる操作部であって、押し下げられる際に前記力点部を押し下げる押下部を有する操作部と、前記力点部と前記軸支部との間に位置する作用部であって、前記力点部が押し下げられることにより前記揺動部が前記下向き成分を持つ方向に揺動する際に、前記揺動部から前記ヘッド部に対して押下力を伝達する作用部と、前記操作部を弧状の経路でガイドするガイド機構と、を備え、前記揺動部が前記操作部に対して相対的に揺動可能に、前記力点部が前記押下部に軸支されている液剤吐出容器。
＜１３＞前記押下部は水平な下面を有し、当該下面で前記力点部を押し下げる上記いずれか一項に記載の液剤吐出容器。
＜１４＞前記装着部に対して装着される第２装着部を備え、前記揺動部は前記第２装着部に対して前記軸支部において軸支される上記いずれか一項に記載の液剤吐出容器。
＜１５＞前記装着部から上方に起立している起立筒を更に備え、前記第２装着部は、前記起立筒が嵌め込まれることにより前記装着部に装着される平面視弧状の内周壁部と、前記内周壁部と同軸に配置された平面視弧状の外周壁部と、を有し、前記ヘッド部は、筒状部を有し、前記ヘッド部が押し下げられることにより、前記内周壁部と前記外周壁部との間隙に前記筒状部の周壁の一部分が入り込む上記いずれか一項に記載の液剤吐出容器。
＜１６＞前記軸支部は前記ヘッド部の前側に配置され、前記揺動部は、前記操作部が押し下げられていない通常状態で前記軸支部から斜め上後方に延びる第１部分と、前記通常状態で前記第１部分よりも緩い傾斜角度で前記第１部分の後端から後方に延びる第２部分と、を有し、前記作用部は、前記第２部分の前端部と、前記ヘッド部の側面から側方に突出している突起部と、により構成されている上記いずれか一項に記載の液剤吐出容器。
＜１７＞前記ガイド機構は、前記ヘッド部に形成されたガイド部と、前記間隙覆い部に形成されていて前記ガイド部にガイドされる被ガイド部と、備えて構成されている上記いずれか一項に記載の液剤吐出容器。
【０１７７】
〔１〕液剤を貯留する容器本体を備える液剤吐出容器であって、
前記容器本体に装着される装着部と、
前記装着部に対して一方向及び前記一方向に対する反対方向に移動可能に前記装着部に保持され、前記装着部に対して相対的に前記一方向に押し込まれることにより前記液剤が通過するヘッド部と、
前記ヘッド部を通過した前記液剤を吐出する吐出口と、
前記一方向の成分を持つ方向及びその反対方向に前記装着部に対して相対的に揺動可能に軸支部において軸支されているとともに、押し込み力を受ける力点部を有する揺動部と、
ユーザーの操作により前記装着部に対して相対的に押し込まれる操作部であって、押し込まれる際に前記力点部を押し込む押込部を有する操作部と、
前記力点部と前記軸支部との間に位置する作用部であって、前記力点部が押し込まれることにより前記揺動部が前記一方向の成分を持つ方向に揺動する際に、前記揺動部から前記ヘッド部に対して押し込み力を伝達する作用部と、
前記操作部が押し込まれる際に、前記操作部の姿勢を維持させつつ前記ヘッド部に対する前記操作部の相対移動をガイドするガイド機構と、
を備え、
当該液剤吐出容器を前記一方向に視たときに、前記ヘッド部の少なくとも一部分が前記操作部によって覆われる液剤吐出容器。
〔２〕前記ガイド機構は、前記操作部を前記ヘッド部に対して相対的に前記一方向及び前記一方向に対する反対方向にガイドする〔１〕に記載の液剤吐出容器。
〔３〕前記操作部の押し込み方向と、前記ガイド機構による前記操作部のガイド方向と、が互いに同方向であり、
前記ガイド機構は、前記ヘッド部が有するガイド部と、前記ガイド部にガイドされる被ガイド部であって前記操作部が有する被ガイド部と、を含み、
前記ガイド部は、前記被ガイド部において前記一方向において互いに離間する少なくとも２つの部位を前記一方向及び前記一方向に対する反対方向にガイドする〔２〕に記載の液剤吐出容器。
〔４〕前記押込部と前記力点部とは、前記軸支部の軸方向に対する交差方向であって且つ前記一方向に対しても交差する方向成分を持つ方向において相対移動可能な状態で、相互に係合している〔３〕に記載の液剤吐出容器。
〔５〕前記操作部は、当該液剤吐出容器を前記軸支部の軸方向に視たときに前記力点部を覆う力点覆い部を有している〔１〕から〔４〕のいずれか一項に記載の液剤吐出容器。
〔６〕前記揺動部が前記操作部に対して相対的に揺動可能に、前記力点部が前記押込部に軸支されており、
前記ガイド機構は、前記操作部を弧状の経路でガイドする〔１〕に記載の液剤吐出容器。
〔７〕前記操作部は、
前記ヘッド部を基準として前記一方向に対する反対方向の位置に配置されていて押し込み操作を受ける操作受部と、
当該液剤吐出容器を前記軸支部の軸方向に視たときに前記操作受部における前記ヘッド部側の面と前記ヘッド部における前記操作受部側の面との間隙を覆う間隙覆い部と、
を有している〔１〕から〔６〕のいずれか一項に記載の液剤吐出容器。
〔８〕前記装着部に対して着脱可能に装着される第２装着部を備え、
前記揺動部は、前記第２装着部に対して前記軸支部において軸支されている〔１〕から〔７〕のいずれか一項に記載の液剤吐出容器。
〔９〕前記装着部は、軸心が前記一方向に延在する装着筒状部を有し、
前記第２装着部は、前記装着筒状部の周方向に移動可能に前記装着筒状部に装着され、
前記第２装着部が前記装着筒状部の周方向に移動するのに伴い、前記揺動部、前記ヘッド部、前記吐出口及び前記操作部が一体となって前記装着筒状部の軸周りに回転する〔８〕に記載の液剤吐出容器。
〔１０〕前記一方向は下方向であり、
前記第２装着部は、前記装着筒状部の外周面に形成された溝に対して嵌合することによって、前記装着筒状部に対して着脱可能に装着されている〔９〕に記載の液剤吐出容器。
〔１１〕前記装着筒状部の前記溝の底面は、前記装着筒状部の径方向外方に向けて下り傾斜している〔１０〕に記載の液剤吐出容器。
〔１２〕前記軸支部は、
前記第２装着部に形成されていて前記軸支部の軸方向に延在する棒状の軸部と、
前記揺動部に形成されていて前記軸部を軸受けする軸受部と、
を含んで構成されている〔８〕から〔１１〕のいずれか一項に記載の液剤吐出容器。
〔１３〕前記ヘッド部は、軸心が前記一方向に延在する筒状部を有し、
前記揺動部は、当該液剤吐出容器を前記一方向に視たときに前記筒状部を囲む環状に形成されており、
当該液剤吐出容器は、前記軸支部の軸方向において相互に離間した一対の作用部を有する〔１〕から〔１２〕のいずれか一項に記載の液剤吐出容器。
〔１４〕前記軸支部と前記力点部とは、前記一方向と前記軸支部の軸方向との双方に対して直交する方向において、前記筒状部を間に挟んで互いに反対側に配置されており、
当該液剤吐出容器を前記軸支部の軸方向に視たときに、
前記揺動部は、
前記軸支部から前記一方向に対する反対方向の成分を持つ方向且つ前記力点部側に延びる第１部分と、
前記第１部分における前記力点部側の端部から前記力点部に向けて延びる第２部分と、
を有し、
前記第１部分と前記第２部分との境界部において前記一方向に対する反対方向に凸に屈曲しており、
前記揺動部の前記境界部と、前記筒状部の外周面から突出している突起部と、により前記作用部が構成されている〔１３〕に記載の液剤吐出容器。
〔１５〕液剤を貯留する容器本体と、
前記容器本体に装着される装着部と、
前記装着部に対して上下動可能に前記装着部に保持され、前記装着部に対して相対的に押し下げられることにより前記液剤が通過するヘッド部と、
前記ヘッド部を通過した前記液剤を吐出する吐出口と、
前記装着部に対して相対的に下向き成分を持つ方向及びその反対方向に揺動可能に軸支部において軸支されているとともに、押下力を受ける力点部を有する揺動部と、
前記装着部に対して相対的に押し下げられる操作部であって、押し下げられる際に前記力点部を押し下げる押下部を有する操作部と、
前記力点部と前記軸支部との間に位置する作用部であって、前記力点部が押し下げられることにより前記揺動部が前記下向き成分を持つ方向に揺動する際に、前記揺動部から前記ヘッド部に対して押下力を伝達する作用部と、
前記操作部が押し下げられる際に、前記操作部の姿勢を維持させつつ前記ヘッド部に対する前記操作部の相対移動をガイドするガイド機構と、
を備え、
前記ガイド機構は、前記ヘッド部が有するガイド部と、前記ガイド部にガイドされる被ガイド部であって前記操作部が有する被ガイド部と、を含む液剤吐出容器。
〔１６〕液剤を貯留する容器本体に装着される装着部を備える液剤吐出器付きキャップであって、
前記装着部に対して一方向及び前記一方向に対する反対方向に移動可能に前記装着部に保持され、前記装着部に対して相対的に前記一方向に押し込まれることにより前記液剤が通過するヘッド部と、
前記ヘッド部を通過した前記液剤を吐出する吐出口と、
前記一方向の成分を持つ方向及びその反対方向に前記装着部に対して相対的に揺動可能に軸支部において軸支されているとともに、押し込み力を受ける力点部を有する揺動部と、
ユーザーの操作により前記装着部に対して相対的に押し込まれる操作部であって、押し込まれる際に前記力点部を押し込む押込部を有する操作部と、
前記力点部と前記軸支部との間に位置する作用部であって、前記力点部が押し込まれることにより前記揺動部が前記一方向の成分を持つ方向に揺動する際に、前記揺動部から前記ヘッド部に対して押し込み力を伝達する作用部と、
前記操作部が押し込まれる際に、前記操作部の姿勢を維持させつつ前記ヘッド部に対する前記操作部の相対移動をガイドするガイド機構と、
を備え、
当該液剤吐出器付きキャップを前記一方向に視たときに、前記ヘッド部の少なくとも一部分が前記操作部によって覆われる液剤吐出器付きキャップ。
〔１７〕液剤を貯留する容器本体に装着される装着部と、前記装着部に対して一方向及び前記一方向に対する反対方向に移動可能に前記装着部に保持され、前記装着部に対して相対的に前記一方向に押し込まれることにより前記液剤が通過するヘッド部と、前記ヘッド部を通過した前記液剤を吐出する吐出口と、を備える液剤吐出器付きキャップに装着して用いられる液剤吐出器用アタッチメントであって、
前記装着部に装着される第２装着部と、
前記一方向の成分を持つ方向及びその反対方向に前記第２装着部に対して相対的に揺動可能に軸支部において軸支されているとともに、押し込み力を受ける力点部を有する揺動部と、
ユーザーの操作により前記第２装着部に対して相対的に押し込まれる操作部であって、押し込まれる際に前記力点部を押し込む押込部を有する操作部と、
前記ヘッド部に対して相対的な前記一方向への移動が規制された状態で前記ヘッド部に装着されるヘッドカバー部と、
前記力点部と前記軸支部との間に位置する作用部であって、前記力点部が押し込まれることにより前記揺動部が前記一方向の成分を持つ方向に揺動する際に、前記揺動部から前記ヘッドカバー部に対して押し込み力を伝達する作用部と、
前記操作部が押し込まれる際に、前記操作部の姿勢を維持させつつ前記ヘッドカバー部に対する前記操作部の相対移動をガイドするガイド機構と、
を備え、
当該液剤吐出器用アタッチメントを前記一方向に視たときに、前記ヘッド部の少なくとも一部分が前記操作部によって覆われる液剤吐出器用アタッチメント。
〔１８〕〔１〕から〔１５〕のいずれか一項に記載の液剤吐出容器と、
前記容器本体に充填された前記液剤と、
を備える液剤吐出容器詰め品。  
【０１７８】
〔１９〕液剤を貯留する容器本体を備える液剤吐出容器であって、
前記容器本体に装着される装着部と、
前記装着部に対して一方向及び前記一方向に対する反対方向に移動可能に前記装着部に保持され、前記装着部に対して相対的に前記一方向に押し込まれることにより前記液剤が通過するヘッド部と、
前記ヘッド部を通過した前記液剤を吐出する吐出口と、
前記一方向の成分を持つ方向及びその反対方向に前記装着部に対して相対的に揺動可能に軸支部において軸支されているとともに、押し込み力を受ける力点部を有する揺動部と、
ユーザーの操作により前記装着部に対して相対的に押し込まれる操作部であって、押し込まれる際に前記力点部を押し込む押込部を有する操作部と、
前記力点部と前記軸支部との間に位置する作用部であって、前記力点部が押し込まれることにより前記揺動部が前記一方向の成分を持つ方向に揺動する際に、前記揺動部から前記ヘッド部に対して押し込み力を伝達する作用部と、
前記操作部が押し込まれる際に、前記操作部の姿勢を維持させつつ前記ヘッド部に対する前記操作部の相対移動をガイドするガイド機構と、
前記装着部に対して着脱可能に装着される第２装着部と、
を備え、
前記揺動部は、前記第２装着部に対して前記軸支部において軸支されている液剤吐出容器。
〔２０〕液剤を貯留する容器本体を備える液剤吐出容器であって、
前記容器本体に装着される装着部と、
前記装着部に対して一方向及び前記一方向に対する反対方向に移動可能に前記装着部に保持され、前記装着部に対して相対的に前記一方向に押し込まれることにより前記液剤が通過するヘッド部と、
前記ヘッド部を通過した前記液剤を吐出する吐出口と、
前記一方向の成分を持つ方向及びその反対方向に前記装着部に対して相対的に揺動可能に軸支部において軸支されているとともに、押し込み力を受ける力点部を有する揺動部と、
ユーザーの操作により前記装着部に対して相対的に押し込まれる操作部であって、押し込まれる際に前記力点部を押し込む押込部を有する操作部と、
前記力点部と前記軸支部との間に位置する作用部であって、前記力点部が押し込まれることにより前記揺動部が前記一方向の成分を持つ方向に揺動する際に、前記揺動部から前記ヘッド部に対して押し込み力を伝達する作用部と、
前記操作部が押し込まれる際に、前記操作部の姿勢を維持させつつ前記ヘッド部に対する前記操作部の相対移動をガイドするガイド機構と、
を備え、
前記ヘッド部は、軸心が前記一方向に延在する筒状部を有し、
前記揺動部は、当該液剤吐出容器を前記一方向に視たときに前記筒状部を囲む環状に形成されており、
当該液剤吐出容器は、前記軸支部の軸方向において相互に離間した一対の作用部を有する液剤吐出容器。
【０１７９】
〔２１〕当該液剤吐出容器を前記一方向に視たときに、前記作用部の少なくとも一部分が前記操作部によって覆われる上記いずれか一項に記載の液剤吐出容器。
〔２２〕当該液剤吐出容器を前記一方向に視たときに、前記力点部の少なくとも一部分が前記操作部によって覆われる上記いずれか一項に記載の液剤吐出容器。
〔２３〕当該液剤吐出容器を前記一方向に視たときに、前記力点部が部分的に前記操作部の外形線の外側に位置する上記いずれか一項に記載の液剤吐出容器。
〔２４〕前記操作部は、前記一方向に対して直交する板状に形成されていて押し込み操作を受ける操作受部を有し、
当該液剤吐出容器を前記一方向に視たときに、前記ヘッド部の少なくとも一部分が前記操作受部によって覆われる上記いずれか一項に記載の液剤吐出容器。
〔２５〕前記ヘッド部は、軸心が前記一方向に延在する筒状部を有し、
前記筒状部の前記軸心の延長上に前記操作部が配置されている上記いずれか一項に記載の液剤吐出容器。
〔２６〕当該液剤吐出容器を前記一方向に視たときに、前記筒状部の全体が前記操作部によって覆われる上記いずれか一項に記載の液剤吐出容器。
〔２７〕当該液剤吐出容器を前記一方向に視たときに、前記ガイド機構の少なくとも一部分が前記操作部によって覆われる上記いずれか一項に記載の液剤吐出容器。
〔２８〕当該液剤吐出容器を前記一方向に視たときに、前記ガイド機構の全体が前記操作部によって覆われる上記いずれか一項に記載の液剤吐出容器。
〔２９〕前記ガイド部は、前記一方向に延在するガイドリブ又はガイド溝を含み、
前記被ガイド部は、前記一方向に延在していて前記ガイドリブ又は前記ガイド溝にガイドされる被ガイド溝又は被ガイドリブを含む上記いずれか一項に記載の液剤吐出容器。
〔３０〕前記ヘッド部は、軸心が前記一方向に延在する筒状部を有し、前記筒状部の外周面の複数箇所にそれぞれ前記ガイド部を有する上記いずれか一項に記載の液剤吐出容器。
〔３１〕前記ヘッド部は、前記筒状部の軸心を基準として、前記軸支部の軸方向における前記筒状部の両端部にそれぞれ配置された一対の前記ガイド部を有する上記いずれか一項に記載の液剤吐出容器。
〔３２〕前記揺動部は、当該液剤吐出容器を前記軸支部の軸方向に視たときに前記作用部を覆うカバー部を有する上記いずれか一項に記載の液剤吐出容器。
〔３３〕前記ヘッド部は、軸心が前記一方向に延在する筒状部を有し、
前記カバー部は、当該液剤吐出容器を前記軸支部の軸方向に視たときに前記筒状部における前記一方向側の端縁を覆う上記いずれか一項に記載の液剤吐出容器。
〔３４〕前記装着部に対する前記ヘッド部の押し込み量にかかわらず、前記カバー部は、当該液剤吐出容器を前記軸支部の軸方向に視たときに、前記筒状部における前記一方向側の端縁を覆う上記いずれか一項に記載の液剤吐出容器。
〔３５〕前記操作部は、
前記一方向に対して直交する板状に形成されていて押し込み操作を受ける操作受部と、
前記操作受部において前記軸支部の軸方向における両端部からそれぞれ前記一方向に延出しているスカート部と、
を有する上記いずれか一項に記載の液剤吐出容器。
〔３６〕前記操作部が押し込まれた際に、当該液剤吐出容器を前記軸支部の軸方向に視たときに、前記スカート部は、前記ヘッド部における前記一方向に対する反対方向側の端部を覆う上記いずれか一項に記載の液剤吐出容器。
〔３７〕当該液剤吐出容器を前記一方向に視たときに、前記軸支部と前記力点部とは、前記一方向と前記軸支部の軸方向との双方に対して直交する方向において、前記筒状部を間に挟んで互いに反対側に配置されており、
当該液剤吐出容器を前記軸支部の軸方向に視たときに、
前記揺動部は、
前記軸支部から前記力点部側に延びる第１部分と、
前記第１部分における前記力点部側の端部から前記一方向に対する反対方向の成分を持つ方向且つ前記力点部に向けて延びる第２部分と、
を有し、
前記第１部分と前記第２部分との境界部において前記一方向に凸に屈曲しており、
前記揺動部の前記境界部と、前記筒状部の外周面から突出している突起部と、により前記作用部が構成されている上記いずれか一項に記載の液剤吐出容器。
〔３８〕前記ヘッド部及び前記操作部が前記装着部に対して相対的に前記一方向に対する反対方向に移動することを規制して前記ヘッド部及び前記操作部を押し込み状態に保持させる保持機構を備える上記いずれか一項に記載の液剤吐出容器。
〔３９〕前記第２装着部と前記揺動部とが一体成形されており、
前記軸支部は、前記第２装着部と前記揺動部との境界部に形成された薄肉ヒンジにより構成されている上記いずれか一項に記載の液剤吐出容器。
〔４０〕前記ヘッド部は、前記筒状部の前記外周面の３箇所以上にそれぞれ前記ガイド部を有する上記いずれか一項に記載の液剤吐出容器。
〔４１〕前記筒状部の外周面から当該筒状部の径方向外方に突出していて先端部に前記吐出口を有するノズル部を備え、
前記ヘッド部は、前記ノズル部を間に挟む２つの前記ガイド部と、前記筒状部における前記ノズル部とは反対側位置に配置されている１つの前記ガイド部と、を有する上記いずれか一項に記載の液剤吐出容器。
〔４２〕前記作用部は、前記揺動部における前記第１部分と前記第２部分との境界部と、前記ヘッド部の前記筒状部の外周面から突出している突起部と、により構成されている上記いずれか一項に記載の液剤吐出容器。
【０１８０】
〔４３〕液剤を貯留する容器本体を備える液剤吐出容器であって、
前記容器本体に装着される装着部と、
前記装着部に対して一方向及び前記一方向に対する反対方向に移動可能に前記装着部に保持され、前記装着部に対して相対的に前記一方向に押し込まれることにより前記液剤が通過するヘッド部と、
前記ヘッド部を通過した前記液剤を吐出する吐出口と、
前記一方向の成分を持つ方向及びその反対方向に前記装着部に対して相対的に揺動可能に軸支部において軸支されているとともに、押し込み力を受ける力点部を有する揺動部と、
ユーザーの操作により前記装着部に対して相対的に押し込まれる操作部であって、押し込まれる際に前記力点部を押し込む押込部を有する操作部と、
前記力点部と前記軸支部との間に位置する作用部であって、前記力点部が押し込まれることにより前記揺動部が前記一方向の成分を持つ方向に揺動する際に、前記揺動部から前記ヘッド部に対して押し込み力を伝達する作用部と、
前記操作部を前記ヘッド部に対して相対的に前記一方向及び前記一方向に対する反対方向にガイドするガイド機構と、
を備え、
前記押込部と前記力点部とは、前記軸支部の軸方向に対する交差方向であって且つ前記一方向に対しても交差する方向成分を持つ方向において相対移動可能な状態で、相互に係合している液剤吐出容器。
〔４４〕液剤を貯留する容器本体を備える液剤吐出容器であって、
前記容器本体に装着される装着部と、
前記装着部に対して一方向及び前記一方向に対する反対方向に移動可能に前記装着部に保持され、前記装着部に対して相対的に前記一方向に押し込まれることにより前記液剤が通過するヘッド部と、
前記ヘッド部を通過した前記液剤を吐出する吐出口と、
前記一方向の成分を持つ方向及びその反対方向に前記装着部に対して相対的に揺動可能に軸支部において軸支されているとともに、押し込み力を受ける力点部を有する揺動部と、
ユーザーの操作により前記装着部に対して相対的に押し込まれる操作部であって、押し込まれる際に前記力点部を押し込む押込部を有する操作部と、
前記力点部と前記軸支部との間に位置する作用部であって、前記力点部が押し込まれることにより前記揺動部が前記一方向の成分を持つ方向に揺動する際に、前記揺動部から前記ヘッド部に対して押し込み力を伝達する作用部と、
前記操作部を弧状の経路でガイドするガイド機構と、
を備え、
前記揺動部が前記操作部に対して相対的に揺動可能に、前記力点部が前記押込部に軸支されている液剤吐出容器。
〔４５〕前記押込部は前記一方向に対して直交していて前記一方向を向く面を有し、当該面で前記力点部を押し込む上記いずれか一項に記載の液剤吐出容器。
〔４６〕前記装着部に対して装着される第２装着部を備え、前記揺動部は前記第２装着部に対して前記軸支部において軸支される上記いずれか一項に記載の液剤吐出容器。
〔４７〕前記装着部から前記一方向に対する反対方向に起立している起立筒を更に備え、
前記第２装着部は、
前記起立筒が嵌め込まれることにより前記装着部に装着される内周壁部と、
前記内周壁部と同軸に配置された外周壁部と、
を有し、
前記内周壁部及び前記外周壁部の各々は前記一方向に視たときに弧状となる形状に形成されており、
前記ヘッド部は、筒状部を有し、
前記ヘッド部が押し込まれることにより、前記内周壁部と前記外周壁部との間隙に前記筒状部の周壁の一部分が入り込む上記いずれか一項に記載の液剤吐出容器。
【０１８１】
〔４８〕液剤を貯留する容器本体を備える液剤吐出容器であって、
前記容器本体に装着される装着部と、
前記装着部に対して一方向及び前記一方向に対する反対方向に移動可能に前記装着部に保持され、前記装着部に対して相対的に前記一方向に押し込まれることにより前記液剤が通過するヘッド部と、
前記ヘッド部を通過した前記液剤を吐出する吐出口と、
前記一方向の成分を持つ方向及びその反対方向に前記装着部に対して相対的に揺動可能に軸支部において軸支されているとともに、押し込み力を受ける力点部を有する揺動部と、
ユーザーの操作により前記装着部に対して相対的に押し込まれる操作部であって、押し込まれる際に前記力点部を押し込む押込部を有する操作部と、
前記力点部と前記軸支部との間に位置する作用部であって、前記力点部が押し込まれることにより前記揺動部が前記一方向の成分を持つ方向に揺動する際に、前記揺動部から前記ヘッド部に対して押し込み力を伝達する作用部と、
前記操作部が押し込まれる際に、前記操作部の姿勢を維持させつつ前記ヘッド部に対する前記操作部の相対移動をガイドするガイド機構と、
を備え、
当該液剤吐出容器を前記一方向に視たときに、前記ヘッド部の少なくとも一部分が前記操作部の外形線の内側に位置する液剤吐出容器。
〔４９〕液剤を貯留する容器本体を備える液剤吐出容器であって、
前記容器本体に装着される装着部と、
前記装着部に対して一方向及び前記一方向に対する反対方向に移動可能に前記装着部に保持され、前記装着部に対して相対的に前記一方向に押し込まれることにより前記液剤が通過するヘッド部と、
前記ヘッド部を通過した前記液剤を吐出する吐出口と、
前記一方向の成分を持つ方向及びその反対方向に前記装着部に対して相対的に揺動可能に軸支部において軸支されているとともに、押し込み力を受ける力点部を有する揺動部と、
ユーザーの操作により前記装着部に対して相対的に押し込まれる操作部であって、押し込まれる際に前記力点部を押し込む押込部を有する操作部と、
前記力点部と前記軸支部との間に位置する作用部であって、前記力点部が押し込まれることにより前記揺動部が前記一方向の成分を持つ方向に揺動する際に、前記揺動部から前記ヘッド部に対して押し込み力を伝達する作用部と、
前記操作部が押し込まれる際に、前記操作部の姿勢を維持させつつ前記ヘッド部に対する前記操作部の相対移動をガイドするガイド機構と、
を備え、
前記一方向に対する反対方向に前記ヘッド部と離間して前記操作部が配置されている液剤吐出容器。
〔５０〕当該液剤吐出容器を前記一方向に視たときに、前記操作部の重心が前記ヘッド部と重なる上記いずれか一項に記載の液剤吐出容器。
【符号の説明】
【０１８２】
１０  容器本体
１１  胴部
１２  肩部
１３  口頸部
１４  底部
２０  操作部
２１  押下部
２１ａ  下面
２４  被ガイド部
２４ａ  被ガイド溝
２４ｂ  被ガイドリブ
２５  操作受部
２６  カバー部（間隙覆い部）
２６ａ  下端部（力点覆い部）
２６ｂ  下部
２７  前方移動規制部
２８  スカート部
２９  第２被ガイド部
３０  ヘッド部
３０ａ  上面
３０ｂ  軸心
３１  ヘッド本体部
３２  外筒部（筒状部）
３２ａ  雌ネジ部
３３  突起部（作用部）
３３ａ  起立壁
３４  内筒部
３５  連結部
３８  ガイド部
３８ａ  第１ガイドリブ
３８ｂ  第２ガイドリブ
３８ｃ  ガイド溝
３８ｄ  支持部
３８ｅ  ガイド柱
３９  第２ガイド部
４０  ノズル部
４１  吐出口
５０  液剤吐出器付きキャップ
５０ａ  昇降部
５１  泡生成部
５２  装着部
５２ａ  周回状溝部
５２ｂ  周回状庇部
５２ｃ  周回状傾斜底面
５２ｄ  周回状係止爪部
５３  起立筒
５３ａ  周回リブ
５３ｂ  雄ネジ部
５４  支持部
５５  ピストン部
５６  ハウジング
５７  吸引管
５８  バネ体
５９  弁体
６０  揺動部
６１  第１部分
６２  第２部分
６３  作用面（作用部）
７０  支持柱部
７１  第１部分
７２  第２部分
７３  被ガイド突起（被ガイド部）
７６  軸支ピン
９１  軸支部
９２  第２軸支部
９５  固定部
１００  液剤吐出容器
１１０  ガイド形成部
１１１  ガイド溝（ガイド部）
１５０  液剤
１５５  接続筒部
１６０  揺動部
１６１  力点部
１６１ａ  軸支孔
１６１ｂ  起立壁
１６２  第１部分
１６３  第２部分
１６４  軸部
１６４ａ  起立壁
１６５  境界部
１６５ａ  作用面（作用部）
１６６  カバー部
１６７  軸受部
１６７ａ  開口
１７０  第２装着部
１７１  内周壁部
１７２  外周壁部
１７３  連結部
１７４  支持部
１７５  軸受部
１７６  連結部
１７６ａ  底部
１７６ｂ  凹部
１７６ｃ  係止部
１７７  軸部
１７８  Ｃ環状装着部
１７８ａ  溝
１８０  ヘッドカバー部
１８１  天面部
１８２  外周面部
１８３  スリット
１９０  揺動部ユニット
２００  液剤吐出容器詰め品
２２１  筒部
２６０  支柱
【図１】
2017202877.tif 000003
【図２】
2017202877.tif 000004
【図３】
2017202877.tif 000005
【図４】
2017202877.tif 000006
【図５】
2017202877.tif 000007
【図６】
2017202877.tif 000008
【図７】
2017202877.tif 000009
【図８】
2017202877.tif 000010
【図９】
2017202877.tif 000011
【図１０】
2017202877.tif 000012
【図１１】
2017202877.tif 000013
【図１２】
2017202877.tif 000014
【図１３】
2017202877.tif 000015
【図１４】
2017202877.tif 000016
【図１５】
2017202877.tif 000017
【図１６】
2017202877.tif 000018
【図１７】
2017202877.tif 000019
【図１８】
2017202877.tif 000020
【図１９】
2017202877.tif 000021
【図２０】
2017202877.tif 000022
【図２１】
2017202877.tif 000023
【図２２】
2017202877.tif 000024
【図２３】
2017202877.tif 000025
【図２４】
2017202877.tif 000026
【図２５】
2017202877.tif 000027
【図２６】
2017202877.tif 000028
【図２７】
2017202877.tif 000029
【図２８】
2017202877.tif 000030
【図２９】
2017202877.tif 000031
【図３０】
2017202877.tif 000032
【図３１】
2017202877.tif 000033
【図３２】
2017202877.tif 000034
【図３３】
2017202877.tif 000035
【図３４】
2017202877.tif 000036
【図３５】
2017202877.tif 000037